(57)【要約】【課題】  内視鏡下での組織吻合等において、操作性が良い外科手術処置具を実現する。【解決手段】  本発明の外科用処置具（３０１）は、挿入部（３０２）と、挿入部の一端に設けられた操作部（３０３）と、挿入部の他端より延出するように設けられた処置部（３０４）と、処置部に設けられ、それぞれ挟持面を有する２つの挟持部材（３０８）と、操作部に設けられ、２つの挟持部材の少なくとも１方を動かして開閉操作するための開閉操作部材（３０５）を有する。さらに、処置部に設けられた筒状部材（３２５）と、筒状部材（３２５）の先端部に設けられ、先端部に第１のフランジ部（３３１ａ）を有する軸部材（３３１）と、筒状部材（３２５）の内側に挿通されて、操作部における操作に応じて筒状部材（３２５）の軸方向に移動し、先端部に第２のフランジ部（３２６ｃ）を有する軸方向移動部材とを具備する。【選択図】図８
2006218280.tif 000002
【特許請求の範囲】
【請求項１】
挿入部と、
該挿入部の一端に設けられた操作部と、
前記挿入部の他端より延出するように設けられた処置部と、
前記処置部に設けられた筒状部材と、
該筒状部材の先端部に設けられ、先端部に第１のフランジ部を有する軸部材と、
前記筒状部材の内側に挿通されて、前記操作部における操作に応じて前記筒状部材の軸方向に移動し、先端部に第２のフランジ部を有する軸方向移動部材と、
を具備したことを特徴とする外科用処置具。
【請求項２】
前記筒状部材は、軸中心からずれた位置に開口部を有し、
前記軸方向移動部材の一部は、前記開口部から露出していることを特徴とする請求項１記載の外科用処置具。
【請求項３】
前記軸方向移動部材は、前記軸部材が挿通され、前記軸部材を同軸上に配置する筒状部を先端部に有することを特徴とする請求項１又は請求項２記載の外科用処置具。
【請求項４】
前記軸部材は、前記筒状部より基端側において分割可能であることを特徴とする請求項３記載の外科用処置具。
【請求項５】
前記軸部材は、前記軸方向移動部材の前記筒状部の最も小さい内径部よりも大きい外径部を有することを特徴とする請求項４記載の外科用処置具。
【請求項６】
挿入部と、
該挿入部の一端に設けられた操作部と、
前記挿入部の他端より延出するように設けられた処置部と、
前記処置部に設けられた筒状部材と、
該筒状部材の内側に挿通され、前記操作部における操作に応じて前記筒状部材の軸方向に移動する軸方向移動部材と、
該筒状部材に対する前記軸方向移動部材の移動に応じて開閉する挟持部と、
を具備したことを特徴とする外科用処置具。
【請求項７】
前記挟持部材は、前記筒状部材の軸方向に移動する第１のフランジ部と、前記筒状部材に対して固定された第２のフランジ部とからなることを特徴とする請求項６記載の外科用処置具。
【請求項８】
前記挟持部材は、前記筒状部材の軸に対して略直交する方向に移動する２つの可動挟持片からなることを特徴とする請求項６記載の外科用処置具。
【発明の詳細な説明】
【技術分野】
【０００１】
本発明は、内視鏡下で、針を把持して組織を吻合等するための外科手術処置具に関する。
【背景技術】
【０００２】
近年、内視鏡下で、例えば心臓の冠状動脈血行再建術を行う手術として、胸壁に穿刺したトラカールを介して内視鏡、針持器としての外科用処置具及び鉗子等を胸腔に挿入し、鋏鉗子によって冠状動脈の一部を切開して吻合口を設け、内胸動脈を把持鉗子によって吻合口に導き、外科用処置具によって内胸動脈を吻合口に吻合して接続するバイパス手術が知られている。
【０００３】
このような手術において、外科手術処置具として、例えば国際公開ＷＯ２００４／０６６８４８号パンフレットに、先端部に湾曲部を有する挿入部を設け、この挿入部の先端部に開閉可能及び挿入部の軸回りに回転可能な一対のジョーを設けた構造のものが知られている。挿入部の先端部へ回動力と開閉力を伝達するための駆動ケーブルが、操作部から挿入部を通って先端部まで挿通されている。
【特許文献１】特開国際公開ＷＯ２００４／０６６８４８号パンフレット
【発明の開示】
【発明が解決しようとする課題】
【０００４】
しかしながら、前述した国際公開ＷＯ２００４／０６６８４８号パンフレットに開示されている外科手術処置具は、挟持部材のうち、基端側の挟持部材が固定され、先端側の挟持部材が軸方向に可動なため、針を掴もうとするときに、挟持部材の先端部の位置が動き、所望の位置で針を挟持する操作がし難く、術者にとっては操作性が良くない。
【０００５】
本発明は、上記事情に鑑みてなされたものであり、内視鏡下での組織吻合等において、操作性が良い外科手術処置具を提供することを目的としている。
【課題を解決するための手段】
【０００６】
本発明に係る外科用処置具は、挿入部と、該挿入部の一端に設けられた操作部と、前記挿入部の他端より延出するように設けられた処置部と、前記処置部に設けられた筒状部材と、該筒状部材の先端部に設けられ、先端部に第１のフランジ部を有する軸部材と、前記筒状部材の内側に挿通されて、前記操作部における操作に応じて前記筒状部材の軸方向に移動し、先端部に第２のフランジ部を有する軸方向移動部材とを具備する。
【発明の効果】
【０００７】
本発明によれば、内視鏡下での組織吻合等において、操作性が良い外科手術処置具を実現することができる。内視鏡下での組織吻合が容易となるので、手術の質向上、手術時間の短縮が図れ、患者の早期退院、社会復帰が早まる。
【発明を実施するための最良の形態】
【０００８】
以下、図面を参照して本発明の実施の形態を説明する。  
（第１の実施の形態）
以下に、本発明の第１の実施の形態を説明する。  
図１は、第１の実施の形態に係るニードルドライバの正面斜め一側方からみた外観斜視図である。図２は、本実施形態のニードルドライバの正面図、図３は、本実施形態のニードルドライバを一側方（左側方）からみた左側面図、図４は、本実施形態のニードルドライバを他側方（右側方）からみた右側面図である。
【０００９】
図１〜図４に示すように、前記ニードルドライバ３０１は、挿入部３０２と、その挿入部３０２の一方端（基端側）に設けられた操作部３０３と、その挿入部３０２の他方端から延出するように設けられた処置部３０４とで主要部が構成される。
【００１０】
前記挿入部３０２は所定の長さを有する略円柱形状を呈する。また操作部３０３は挿入部３０２の基端側において当該挿入部３０２の長軸と同軸上に一体的に配設された略長方体形状を呈する部材であって、術者が片手で把持して、後述する操作をすることができる形状である。
【００１１】
また、前記操作部３０３には、処置部３０４の開閉操作をするための開閉操作部材としての開閉ボタン３０５と、処置部３０４の延出方向の角度の変更操作をするための角度変更操作部材としての角度可変レバー３０６と、処置部３０４の回動操作をするための回動操作部材としての回動ダイヤル３０７とが設けられている。
【００１２】
前記開閉ボタン３０５の基端部は、後述するバネの付勢力により操作部３０３の外装部から離間する方向に付勢されている。また、後述する牽引ワイヤの基端側一端が、開閉ボタン３０５に連結された部材に係止されている。開閉ボタン３０５を押し込むと、その牽引ワイヤに、後述する処置部内のバネの付勢力に抗する力が印加されるようになっている。開閉ボタン３０５の構成については後述する。
【００１３】
挿入部３０２の一端から延出するように設けられた処置部３０４は、先端側に、挟持部３０８を有しており、挟持部３０８の軸方向、すなわち処置部３０４の延出方向は、挿入部３０２の軸方向に対して所定の角度の範囲内、例えば０から９０度の範囲で可変となっている。言い換えると、ニードルドライバ３０１には、挿入部３０２の軸に対する処置部３０４の延出方向の角度を変更するための角度変更手段が設けられている。
【００１４】
図５は、図１のニードルドライバ３０１が把持された状態を説明するための図である。図５に示すように、術者は、親指ＦＦと人指し指ＩＦの間の付け根部分を樹脂製の掌掛け部材３０１Ａに当て、中指ＭＦを、樹脂製の指賭け部材３０１Ｘの２つの突出部３０１Ｂと３０１Ｃの間に置くことによって、術者はニードルドライバ３０１をしっかりと安定して把持することができる。図５に示すように、術者はニードルドライバ３０１を把持した状態で、人指し指ＩＦによって、回動ダイヤル３０７及び角度可変レバー３０６を操作することができる。回動ダイヤル３０７及び角度可変レバー３０６は、人指し指ＩＦによって、挿入部３０２の先端方向ＩＦＦと基端方向ＩＦＢの方向に操作することができる。さらに、親指ＦＦによって、開閉ボタン３０５を操作することができる。
【００１５】
さらに、掌掛け部材３０１Ａは、操作部３０３の側部からやや基端側に向かって斜めに延出しているので、把持されたときに掌掛け部材３０１Ａと掌とが密着することによって、術者はニードルドライバ３０１をしっかりと把持することができる。
【００１６】
次にニードルドライバ３０１の先端部の構造を図６から図１１に基づいて説明する。  
図６から図１１は、ニードルドライバ３０１の処置部３０４を含む先端部分の構造を説明するための図である。
【００１７】
図６は、ニードルドライバ３０１の処置部３０４を含む先端部分の正面図である。図７は、処置部３０４の挟持部３０８が開いた状態の先端部分の正面図である。図８は、ニードルドライバ３０１の軸方向に沿った、処置部３０４を含む先端部分の断面図である。図９は、ニードルドライバ３０１の軸方向に沿った、処置部３０４の挟持部３０８が開いた状態の先端部分の断面図である。図１０は、先端部の内部構造を説明するための斜視図である。図１１は、図９のＡ−Ａ線に沿った断面図である。
【００１８】
挿入部３０２は、ステンレス製のパイプ、すなわち円筒部材であるシース３１１を有する。シース３１１の先端側、すなわち処置部３０４側には、ステンレス製の先端ハウジング部材３１２が固定されている。先端ハウジング部材３１２は、先端ハウジング部材３１２の基端側、すなわちシース３１１側に、シース３１１の内周面に嵌合する円筒形状の嵌合部を有する。
【００１９】
図９に示すように、先端ハウジング部材３１２の中央部分は、内部に空間を有し、挿入部３０２の軸に直交する断面形状がチャンネル形状のチャンネル形状部とを有する。先端ハウジング部材３１２は、図１０に示すように、先端側（すなわち挟持部３０８側）に、チャンネル形状部内の内部空間と連通する内部空間を挟むように、先端側に延びた２つの腕部３１２ａ、３１２ｂを有する。
【００２０】
図８に示すように、シース３１１内には、軸部材としての、ステンレス製の湾曲力伝達パイプ３１５が挿通されている。湾曲力伝達パイプ３１５は、処置部３０４を湾曲させるように、処置部３０４の延出方向の角度を変更するための部材である。
【００２１】
シース３１１内には、湾曲力伝達パイプ３１５が挿通され、その湾曲力伝達パイプ３１５内には、軸部材としての、ステンレス製の回動力伝達パイプ３１３が挿通されている。回動力伝達パイプ３１３は、先端部に回動力を伝達するためのパイプである。回動力伝達パイプ３１３内には、後述する挟持部３０８の開閉動作のための、ステンレス製の牽引ワイヤ３１４が挿通されている。  
従って、図１１に示すように、シース３１１の内側には、同軸に、湾曲力伝達パイプ３１５と、回動力伝達パイプ３１３と、牽引ワイヤ３１４とが配置されている。
【００２２】
牽引ワイヤ３１４は、挟持部３０８の開動作を行うために操作部３０３側に牽引される線部材であり、細いステンレス線を編んで柔軟に構成されている。また、内部での摺動抵抗を低減し、かつ進退し易くするためにワイヤ表面にフッ素系の樹脂がコーティングされていてもよい。
【００２３】
先端ハウジング部材３１２は、ステンレス製の止めネジ３１６によりシース３１１に固定される。さらにシース３１１の先端部と先端ハウジング部材３１２とは接着剤例えばエポキシ樹脂系の接着剤が付けられて、固定されている。  
上記回動力伝達パイプ３１３は、当該回動力伝達パイプ３１３の軸を回動中心として回動摺動可能に挿通され、湾曲力伝達パイプ３１５は、当該湾曲力伝達パイプ３１５の軸方向に進退可能に挿通されている。
【００２４】
回動力伝達パイプ３１３の先端には、ステンレス製の回動力伝達コイル３１７が固定されている。回動力伝達コイル３１７は、挿入部３０２の先端部分に回動力を伝えるためのフレキシブルなコイルである。回動力伝達コイル３１７内には、牽引ワイヤ３１４が挿通されている。回動力伝達パイプ３１３は金属製であるため、操作部３０３における回動ダイヤル３０７の回動操作による回動力を、回動力伝達コイル３１７まで確実に伝えることができる。
【００２５】
回動力伝達パイプ３１３に接続された回動力伝達コイル３１７は、３つのコイルを重ねるようにして構成された３重巻き密着構造をしている。１番下のコイルの上に重ねるように１番下のコイルの巻き方向と逆の巻き方向の２番目のコイルを設け、２番下のコイルの上に重ねるように２番目のコイルの巻き方向とは逆の巻き方向（１番下のコイルと同じ巻き方向）の３番目のコイルが設けられている。
【００２６】
回動力伝達コイル３１７の両端部は、ろう付けされ、かつ、ろう付けされた後に切削される。その結果、両端部の肉厚は、中心部の肉厚よりも薄い。そして、両端部は、それぞれ回動力伝達パイプ３１３と、円筒部材である回動部ベース部材３２５とろう付けによって固定されている。
【００２７】
湾曲力伝達パイプ３１５は、ステンレス製の結合部材であるジョイント部材３１８とステンレス製のリンク部材３１９とを介して、ステンレス製の湾曲部ベース部材３２０に連結されている。ジョイント部材３１８の基端部は、回動力伝達パイプ３１３が、当該回動力伝達パイプ３１３の軸方向にかつ軸回りに摺動可能に挿通するように構成されている。さらに、湾曲力伝達パイプ３１５は、ジョイント部材３１８と基端部に嵌入されて接着によって、ジョイント部材３１８と連結されているので、湾曲力伝達パイプ３１５が、挿入部３０２の軸方向に沿って進退するに伴って、ジョイント部材３１８も同一方向に進退する。
【００２８】
図１０と図１２を用いて、湾曲力伝達パイプ３１５、ジョイント部材３１８、リンク部材３１９及び湾曲部ベース部材３２０の接続関係を説明する。図１２は、先端ハウジング部材３１２を省略した、先端部の内部構造を説明するための斜視図である。  
図１０に示すように、先端ハウジング部材３１２は、先端ハウジング部材３１２の基端側においてシース３１１の内周面に嵌合する。先端ハウジング部材３１２の中央部と先端部内に、湾曲力伝達パイプ３１５の一部、回動力伝達コイル３１７、ジョイント部材３１８、リンク部材３１９及び湾曲部ベース部材３２０の一部とが配設される。先端ハウジング部材３１２の２つの腕部３１２ａと３１２ｂの間に、湾曲部ベース部材３２０が配設され、湾曲部ベース部材３２０と先端ハウジング部材３１２とがピン３２４によって連結されている。具体的には、湾曲部ベース部材３２０と先端ハウジング部材３１２とは、２つの腕部３１２ａと３１２ｂに嵌入するピン３２４が湾曲部ベース部材３２０に設けられた孔に嵌入されることによって連結され、湾曲部ベース部材３２０は、ピン３２４の軸を回動中心として、回動可能となっている。
【００２９】
また、図１２に示すように、ジョイント部材３１８は、先端側に、２つの腕部３１８ａ、３１８ｂを有する。リンク部材３１９は、両端部にそれぞれ孔部を有する棒部材である。湾曲部ベース部材３２０は、基端側に、２つの腕部３２０ａ、３２０ｂを有する。なお、湾曲部ベース部材３２０は、先端側に円筒状部３２０ｃを有し、回動部ベース部材３２５の基端部が、その円筒状部３２０ｃの内側に嵌挿している。
【００３０】
湾曲部ベース部材３２０の２つの腕部３２０ａ、３２０ｂの間に、リンク部材３１９の先端部を挟むようにして、２つの腕部３２０ａ、３２０ｂと、リンク部材３１９の先端部の孔とを通るピン３２１によって、湾曲部ベース部材３２０とリンク部材３１９は連結されている。ピン３２１は、湾曲部ベース部材３２０の端部においてレーザ溶接によって固定されているが、リンク部材３１９は、ピン３２１の軸を回動中心として、回動可能となっている。
【００３１】
また、２つの腕部３１８ａ、３１８ｂの間に、リンク部材３１９の基端部を挟むようにして、２つの腕部３１８ａ、３１８ｂと、リンク部材３１９の基端部の孔とを通るピン３２２によって、ジョイント部材３１８とリンク部材３１９は連結されている。ピン３２２は、ジョイント部材３１８の端部においてレーザ溶接によって固定されているが、リンク部材３１９は、ピン３２２の軸を回動中心として、回動可能となっている。
【００３２】
従って、操作部３０３の角度可変レバー３０６を操作することによって、湾曲力伝達パイプ３１５が操作部３０３の軸方向の先端側に進むと、ピン３２４を回動中心として湾曲部ベース部材３２０が回動する。図１３は、処置部３０４が挿入部３０２の軸に対して９０度湾曲した状態を示す先端部分の正面図である。図１４は、処置部３０４が挿入部３０２の軸に対して９０度湾曲した状態を示す先端部分の断面図である。また、角度可変レバー３０６を操作することによって、湾曲力伝達パイプ３１５が操作部３０３の軸方向の基端側に戻すと、処置部３０４の延出方向は、挿入部３０２の軸に対して９０度よりも小さい角度になる。なお、ピン３２１，３２２，３２４は、それぞれステンレス製である。操作部３０３の角度可変レバー３０６を、指で挿入部３０２の軸方向に進退させることによって、湾曲力伝達パイプ３１５が操作部３０３の軸方向において進退する機構については後述する。
【００３３】
図８に戻り、湾曲部ベース部材３２０の円筒状部３２０ｃ内には、円筒状の回動部ベース部材３２５が、回動部ベース部材３２５の軸を回動中心として回動可能なように、嵌挿されている。回動部ベース部材３２５は、先端側に開口部を、基端側に底部を有する。回動部ベース部材３２５の基端側底部には、孔が形成されており、その孔に回動力伝達コイル３１７の先端部が挿入されて、上述したようにろう付けによって固定されている。
【００３４】
回動力伝達コイル３１７は、基端側において回動力伝達パイプ３１３に、上述したようにろう付けによって固定され、先端側においても回動部ベース部材３２５にろう付けによって固定されている。回動力伝達コイル３１７の先端部は、回動部ベース部材３２５の基端側底部に挿入されてろう付けされる。回動力伝達コイル３１７の基端部は、回動力伝達パイプ３１３の先端部の内部に形成された段部に挿入されてろう付けされる。よって、回動力伝達パイプ３１３が回動力伝達パイプ３１３の軸を回動中心として回動すると、回動力伝達パイプ３１３の回動量を処置部３０４へ伝達するように、回動力伝達コイル３１７と回動部ベース部材３２５も同様に回動する。
【００３５】
なお、図８に示すように、処置部３０４が湾曲していない状態では、回動部ベース部材３２５の基端側底部と回動部ベース部材３２５の基端側底部との間は、所定の距離ｄ１だけ離れている。これは、処置部３０４が湾曲していくにつれて、回動部ベース部材３２５の基端側底部と回動部ベース部材３２５の基端側の底部とが近づいていく。従って、後述するように処置部３０４を最大まで（例えば９０度まで）湾曲させるときに、回動部ベース部材３２５の基端側底部と回動部ベース部材３２５の基端側底部とが接触して摩擦抵抗が生じないように、回動部ベース部材３２５の基端側底部と回動部ベース部材３２５の基端側底部との間を、所定の距離ｄ１だけ予め離している。尚、所定の距離ｄ１をゼロ（０）とすることで、摩擦抵抗は増加するが、湾曲操作に伴う湾曲部ベース部材３２０に対する回動部ベース部材３２５の処置部３０４長軸方向の移動を抑えることが可能である。
【００３６】
処置部３０４の先端部には、針を挟持する２つの挟持部材を含む挟持部３０８が設けられており、一方が可動挟持片３２６であり、他方が固定挟持片３３１である。可動挟持片３２６は、先端部にフランジ部３２６ｃを有する筒状部材である。固定挟持片３３１は、軸部の先端部にフランジ部３３１ａを有する軸部材であり、その軸部は、可動挟持片３２６の筒状部の孔部内に、可動挟持片３２６と同軸上に挿通されている。  
回動部ベース部材３２５は、ステンレス製であり、回動部ベース部材３２５内には、先端側の開口部から、処置部３０４の挟持部３０８の一方の可動挟持片３２６の一部が内挿されている。可動挟持片３２６は、ステンレス製であり、基端側に内向フランジ部を有する円筒部材である。  
可動挟持片３２６の基端側の底部には、牽引ワイヤ３１４が挿通可能な孔が設けられている。牽引ワイヤ３１４の先端部には、先端部を溶融して形成した末端肥大部３１４ａが形成され、その末端肥大部３１４ａが、可動挟持片３２６の底部の内側に固定されている。従って、牽引ワイヤ３１４が、操作部３０３側に引っ張られたときに、可動挟持片３２６も操作部３０３側に移動する。牽引ワイヤ３１４と可動挟持片３２６とが、軸方向移動部材を構成する。
【００３７】
回動部ベース部材３２５の円筒状部の内側であって、可動挟持片３２６の底部の外側面と、その外側面と対向する回動部ベース部材３２５の底部の内側面との間に、ステンレス製のバネ３３３が、圧縮された状態で、牽引ワイヤ３１４に介装されるようにして設けられている。図１５は、回動部ベース部材３２５を省略した、先端部の内部構造を説明するための斜視図である。図１５に示すように、バネ３３３は、圧縮された状態で、回動部ベース部材３２５の内部に設けられる。
【００３８】
上述したように、回動部ベース部材３２５の先端側には、１つの挟持部材である、ステンレス製の可動挟持片３２６の一部が嵌挿されている。可動挟持片３２６の筒状部は、２つの長孔部３２６ａ、３２６ｂを有する略円筒形状であり、基端部は、上述したように底部を有する。その底部には、内向フランジ部が形成されている。可動挟持片３２６の先端部は、フランジ部３２６ｃを有している。可動挟持片３２６の先端部のフランジ部３２６ｃの先端側の面は、針を挟持するための平面部を有し、ここでは、その平面部の平面は、略円筒形状の可動挟持片３２６の軸に対して直交する。
【００３９】
回動部ベース部材３２５の先端部には、他の挟持部材である、ステンレス製の固定挟持片３３１の軸部の基端部がステンレス製のピン３３０によって固定されている。固定挟持片３３１の軸部は、先端部にはフランジ部３３１ａを有する円柱部材である。固定挟持片３３１と回動部ベース部材３２５とは、回動部ベース部材３２５の先端部と固定挟持片３３１の基端部とを貫通するピン３３０によって固定されている。ピン３３０は、可動挟持片３２６の２つの長孔部３２６ａ、３２６ｂ内に摺動可能なように嵌挿されている。ピン３３０は、端部においてレーザ溶接によって回動部ベース部材３２５と固定される。
【００４０】
先端側の挟持片である固定挟持片３３１は、円環状であって、かつ可動挟持片３２６の先端部の平面部に対して平行な平面部を有する。従って、可動挟持片３２６のフランジ部３２６ｃと固定挟持片３３１のフランジ部３３１ａの対向するそれぞれの平面部の間に、針を挟持することができる。  
操作部３０３において、開閉ボタン３０５を操作していないとき、バネ３３３は、可動挟持片３２６の底部を押圧するが、可動挟持片３２６のフランジ部３２６ｃの先端側の平面が、対向する固定挟持片３３１のフランジ部３３１ａの基端側の平面と当接して、それ以上は伸びることができないので、圧縮された状態のままである。従って、操作部３０３の開閉ボタン３０５を操作していないときに、可動挟持片３２６と固定挟持片３３１のそれぞれの平面は密着するように押圧されているので、針をしっかりと挟持することができる。また、開閉ボタン３０５を押すと、可動挟持片３２６が、固定挟持片３３１から基端側に向かって移動するので、可動挟持片３２６と固定挟持片３３１のそれぞれの対向する平面部間に挟持された針を放したり、針を挟持するためにそれぞれの平面部の間を離したりすることができる。
【００４１】
また、固定挟持片３３１のフランジ部３３１ａと可動挟持片３２６のフランジ部３２６ｃは薄く形成されているので、それぞれの平面部の間に針を当接させ易い。よって、挟持部３０８の湾曲角度あるいは体腔壁の状態がどのような場合でも、術者は、針を容易に挟持することができる。
【００４２】
従って、後述するように、開閉ボタン３０５に対する開閉動作に応じて、固定挟持片３３１の平面部と可動挟持片３２６の平面部とによって挟むように、針が挟持される。従って、バネ３３３は、２つの挟持部材の少なくとも一方を、他方に密着する方向に常に付勢する付勢手段の一部を構成する。具体的には、バネ３３３は、可動挟持片３２６のフランジ部３２６ｃを固定挟持片３３１のフランジ部３３１ａに密着する方向に常に付勢する付勢手段を構成する。
【００４３】
針の挟持を行う挟持面である、固定挟持片３３１の平面部と可動挟持片３２６の平面部のそれぞれの表面は、滑り止め加工が施されている。滑り止め加工としては、放電加工、ローレット加工、金属メッキへのダイヤモンド微小粉末の吹きつけ処理加工等がある。
【００４４】
次に、以上のように構成されたニードルドライバ３０１の処置部３０４の動作を説明する。  
上述したように、固定挟持片３３１の基端側の円柱部分は、可動挟持片３２６の孔部に挿通され、その円柱部分が回動部ベース部材３２５に固定されているので、固定挟持片３３１は、回動部ベース部材３２５に対して固定された位置関係を有する。言い換えれば、固定挟持片３３１は、湾曲部ベース部材３２０に対しても長軸方向に固定された位置関係を有する。
【００４５】
一方、開閉ボタン３０５の開操作がされてすなわち開閉ボタン３０５が押されて、その押し込む量に応じて、牽引ワイヤ３１４が牽引されることによって、操作部３０３側に移動可能な可動挟持片３２６は、バネ３３３の伸長する方向に掛かる力に抵抗しながら、可動挟持片３２６は、フランジ部３２６ｃが固定挟持片３３１のフランジ部３３１ａから離間するように、操作部３０３側に移動する。従って、牽引ワイヤ３１４が牽引されると、可動挟持片３２６は、牽引ワイヤ３１４が引っ張られた量だけ、図７の矢印に示す方向に移動する。すなわち、バネ３３３による、固定挟持片３３１に密着する方向の付勢力に抗して、可動挟持片３２６は、開閉ボタン３０５の開操作によって、処置部３０４の先端部に位置する固定挟持片３３１から離間する方向に移動する。このとき、図９に示すように、バネ３３３は、図８に示す開閉ボタン３０５の開操作がされていない状態よりも、さらに圧縮された状態となり、開閉ボタン３０５には押し返す力が掛かる。開操作がされなくなると、バネ３３３の伸長力によって、牽引ワイヤ３１４は、バネ３３３による、可動挟持片３２６を固定挟持片３３１に密着する方向への付勢力によって、処置部３０４側に引っ張られる。その結果、挟持部３０８において、固定挟持片３３１の平面部と可動挟持片３２６の平面部の間に位置する針が挟持される。
【００４６】
次に回動動作について説明する。  
針が挟持された状態において、あるいは針が挟持されていない状態において、回動ダイヤル３０７が回動されると、軸部材である回動力伝達パイプ３１３が軸を回動中心として回動するために、回動力伝達パイプ３１３に固定された回動力伝達コイル３１７が回動し、回動力伝達コイル３１７に固定された回動部ベース部材３２５も回動する。回動ダイヤル３０７が回動された量に応じて、回動力伝達パイプ３１３が回動するので、回動ダイヤル３０７が回動された量に応じた回動量が、処置部３０４へ伝達される。その結果、挟持部３０８を構成する固定挟持片３３１と可動挟持片３２６は、回動部ベース部材３２５の回動に連動して、回動部ベース部材３２５と共に回動する。
【００４７】
また、このとき、牽引ワイヤ３１４は、回動部ベース部材３２５の底部の孔に対して摺動可能となっているため、回動部ベース部材３２５が回動しても、牽引ワイヤ３１４は、当該回動部ベース部材３２５と共に回動することはない。
【００４８】
次に角度可変動作について説明する。  
角度可変レバー３０６を挿入軸方向の先端側から基端側に向かって移動させることによって、図１４に示すように、処置部３０４を含む先端部分は湾曲する。角度可変レバー３０６を挿入軸方向の先端側から基端側に向かって移動させると、湾曲力伝達パイプ３１５は、ジョイント部材３１８を先端側に押し、その結果、ジョイント部材３１８は、リンク部材３１９を押す。押されたリンク部材３１９は、さらに、湾曲部ベース部材３２０を押すが、湾曲部ベース部材３２０は、先端ハウジング部材３１２にピン３２４によって連結されているため、湾曲部ベース部材３２０は、ピン３２４を回動中心として回動する。
【００４９】
角度可変レバー３０６の回動量に応じて湾曲力伝達パイプ３１５が進退することによって、処置部３０４の湾曲量、すなわち湾曲角度が変化する。よって、術者は、上述したように、手術の状況に応じて、処置部３０４を挿入部３０２の軸に対して所望の角度にして、処置を行うことができる。
【００５０】
続いて、図１６〜図２５に基づいて、本実施形態のニードルドライバ３０１における操作部３０３について説明する。尚、図１６は、ニードルドライバ３０１の操作部３０３を正面斜め一側方からみた外観斜視図、図１７は、ニードルドライバ３０１の軸方向に沿った、操作部３０３の断面図、図１８は、図１７の円Ａにて囲んだ部分を拡大した操作部３０３の断面図、図１９は、操作部３０３の外装部材を省略した、回動ダイヤル３０７の周辺に設けられる操作部３０３の内部構成を示す斜視図、図２０は、操作部３０３内の各構成部材を下面斜め一側方からみた斜視図、図２１は、操作部３０３の外装部材の一部分を図示し、操作部３０３内の各構成部材を下面斜め一側方からみた斜視図、図２２は、操作部３０３の外装部材の一部分を図示し、操作部３０３内の各構成部材を基端側の斜め一側方からみた斜視図、図２３は、ニードルドライバ３０１の軸に対して直交する方向に沿って、操作部３０３の中途部分を切断した断面図、図２４は、操作部３０３を側面斜め一側方からみた斜視図、図２５は、ニードルドライバ３０１を先端側から見た正面図である。
【００５１】
図１６に示すように、操作部３０３は、挿入部３０２の基端側において当該挿入部３０２の長軸と同軸上に配設され、略長方体形状を呈する外装部材３２７に覆われている。この外装部材３２７は、３つのアルミニウム等の金属部材が互いに嵌合して一体に構成されており、先端側（挿入部３０２側）の外装を形成する先端側外装部材３２７ａと、回動ダイヤル３０７、開閉ボタン３０５が一面に配設されている本体外装部材３２７ｂと、指掛け部材３０１Ｘが一面に配設され、前記本体外装部材３２７ｂの回動ダイヤル３０７、開閉ボタン３０５が設けられている面と反対側に嵌合されているカバー外装部材３２７ｃとからなる。
【００５２】
先端側外装部材３２７ａと本体外装部材３２７ｂは、固定ネジ３２８ａにより固定されている。また、カバー外装部材３２７ｃは、その一面に２つの固定ネジ３２９ａ，３２９ｂにより指掛け部材３０１Ｘが固定された後に、先端側外装部材３２７ａに対して固定ネジ３２８ｂにより固定され、本体外装部材３２７ｂに対して固定ネジ３２８ｃにより固定される。尚、外装部材３２７は、樹脂でもよい。
【００５３】
先端側外装部材３２７ａには、内部に後述するスラスタ３５３及び角度可変レバー３０６周辺の機構が配置される空間のための孔部が形成されており、両側面に凹部形状の段部３２７Ａが基端から先端側に向かった中途部分まで形成されている（図２１参照。尚、図２１においては、先端側外装部材３２７ａの一側面側の段部３２７Ａのみ図示されている）。
【００５４】
本体外装部材３２７ｂは、先端側に延びる、２つの腕部３２７Ｂ（図２４参照。尚、図２４においては、本体外装部材３２７ｂの一側面側の腕部３２７Ｂのみ図示されている）を先端側の両側部に有し、これら２つの腕部３２７Ｂが先端側外装部材３２７ａの２つの段部３２７Ａに夫々嵌合される。
【００５５】
また、先端側外装部材３２７ａに本体外装部材３２７ｂが嵌着された状態において、操作部３０３の両側面となる部分には、角度可変レバー３０６が各側面から突出でき、且つ、可倒動作するための長溝３０３ａが形成される（図２４参照）。この長溝３０３ａは、操作部３０３の１側面に２つ形成される。
【００５６】
図１７に示すように、本体外装部材３２７ｂの基端部分には、段部３４０が形成されている。この段部３４０は、樹脂製の調整ダイヤル３０９のダイヤル頭部３０９ａが当接する座部３４０ａを有する。座部３４０ａには、段部３４０の略中央に操作部３０３の長軸方向に沿った長孔３４１が形成されている。段部３４０と反対側の本体外装部材３２７ｂの表面には、掌掛け部材３０１Ａの突出部３０１Ｙが入り、操作部３０３の長軸方向に沿った溝部３４２が形成されている。長孔３４１は、段部３４０と溝部３４２を連通する孔である。
【００５７】
調整ダイヤル３０９は、段部３４０側から挿入され、調整ダイヤル３０９のネジ部が、雌ネジが形成された突出部３０１Ｙの雌ネジ穴に螺合し、ネジ止めされることによって掌掛け部材３０１Ａが調整ダイヤル３０９に固定され、且つ、掌掛け部材３０１Ａが本体外装部材３２７ｂに固定されるようになっている。その固定の際、本体外装部材３２７ｂの長軸方向における、長孔３４１内の調整ダイヤル３０９の位置を調整することによって、本体外装部材３２７ｂの長軸方向における掌掛け部材３０１Ａの位置を、術者の手の大きさに合わせて調整することができる。  
なお、調整ダイヤル３０９のダイヤル頭部３０９ａは、その外周部分を把持し易くするために、操作部３０３の両側面から突出するように、操作部３０３の幅方向の長さよりも長い外径を有している。
【００５８】
また、先端側外装部材３２７ａは、先端側に突出するように形成された筒状の連結部３２７ａａを有している。先端側外装部材３２７ａには、筒状の連結部３２７ａａの先端側の開口部に連通する孔部が形成されている。その孔部は、先端側から基端側の途中に段部を有する。この連結部３２７ａａの外周面には、ネジ溝が刻設されている。
【００５９】
内周面に刻設されたネジ溝を有する略円環状の押さえ環３１０が、連結部３２７ａａに被さるように設けられている。アルミニウム製の押さえ環３１０は、先端側に開口部を有する。先端側外装部材３２７ａには、その押さえ環３１０の開口部と連結部３２７ａａの開口部とを通るように、挿入部３０２のシース３１１の基端部分が挿入され、なお、押さえ環３１０は、内周面のネジ溝と連結部３２７ａａの外周面のネジ溝とが螺合することにより、連結部３２７ａａに固定される。
【００６０】
詳述すると、シース３１１は、基端部分の外周に略筒状のシースエンド部材３１１ａが接着されており、シースエンド部材３１１ａと共に先端側外装部材３２７ａの孔部内に、シースエンド部材３１１ａの軸回りに摺動して回動可能に挿入される。シースエンド部材３１１ａはアルミニウム製である。また、押さえ環３１０の先端側となる面には、シース３１１の外径と略同一の孔径を有する孔部（開口部）が形成されている。すなわち、押さえ環３１０の先端側の面が内向フランジを形成し、シース３１１のシースエンド部材３１１ａが内向フランジに当接することによって、挿入部３０２の外装を形成するシース３１１が先端側外装部材３２７ａから抜けないようにしている。
【００６１】
押さえ環３１０は、連結部３２７ａａと螺合量が多くなるにつれて、基端側へ移動する。なお、押さえ環３１０とシースエンド部材３１１ａの間には、シリコン製のＯリング３４５が設けられている。これにより、押さえ環３１０の内向フランジ面がＯリング３４５を介して、シース３１１のシースエンド部材３１１ａを基端側へ押圧する。
【００６２】
そして、シース３１１の基端部分に固着されたシースエンド部材３１１ａは、Ｏリング３４５の弾性力により、その基端面が先端側外装部材３２７ａの孔部に形成された段部の先端面と当接される。その結果、挿入部３０２は、操作部３０３に対して、ぐらつくことなく、しっかりと固定されている。
【００６３】
さらに、挿入部３０２が操作部３０３にしっかりと固定されつつ、挿入部３０２が操作部３０３に対して挿入部３０２の軸回りに回動可能な程度に、Ｏリング３４５はシースエンド部材３１１ａを所定の押圧力で押圧する。これは、押さえ環３１０の先端内面が連結部３２７ａａの先端部に当接したときのシースエンド部材３１１ａと押さえ環３１０の先端内面間の距離を、Ｏリング３４５が圧縮されてそのような所定の押圧力を生じるような距離に設定することによって実現される。
【００６４】
牽引ワイヤ３１４が挿通している回動力伝達パイプ３１３には、基端部分にポリアセタールなどの合成樹脂からなる受動側傘歯車部材３５０が接着されて固定されている。尚、回動力伝達パイプ３１３は、回動力伝達パイプ３１３の長手方向軸に直交する方向の断面中心と、受動側傘歯車部材３５０の回動軸が重なるように、受動側傘歯車部材３５０の長手方向に形成された孔部に圧入固定されている。
【００６５】
この受動側傘歯車部材３５０の、歯車を有する端部が先端側を向いており、軸部分が略筒状の軸受け３５２に軸回りに回動自在に軸支されている。尚、アルミニウム又は樹脂製の軸受け３５２は、先端側外装部材３２７ａに挿嵌固定されている。
【００６６】
また、先端側外装部材３２７ａの一面に形成された段部分には、回動ダイヤル３０７が配設されている。アルミニウム又は樹脂製の回動ダイヤル３０７の、操作部３０３側の面に略円板形状の軸受けプレート３４９が設けられている。この軸受けプレート３４９は、先端側外装部材３２７ａに固定されている。アルミニウム又は樹脂製の軸受けプレート３４９の、回動ダイヤル３０７側の面と反対側の面の中央部分からホイール軸３４９ａが突出している。軸受けプレート３４９には、回動ダイヤル３０７側の面の中心からホイール軸３４９ａの軸中心を貫く孔部が形成されている。
【００６７】
この軸受けプレート３４９の孔部には、ポリアセタールなどの合成樹脂からなる能動側傘歯車部材３５１が能動側傘歯車３５１の軸回りに回動可能に挿通されている。また、能動側傘歯車部材３５１の歯車を有している側と反対側の端部は、回動ダイヤル３０７の回動軸中心に形成されている孔部３０７ａの一部に嵌入し、固定されている。すなわち、回動ダイヤル３０７及び能動側傘歯車部材３５１は、一体となっている。
【００６８】
また、軸受けプレート３４９は、能動側傘歯車部材３５１の歯車が受動側傘歯車部材３５０の歯車と歯合するように設けられている。
【００６９】
従って、回動ダイヤル３０７が術者によって所定の方向に回動されると、能動側傘歯車部材３５１に回動が伝達され、歯合作用により、その回動力が受動側傘歯車部材３５０に伝達される。すなわち、回動ダイヤル３０７が操作部３０３の長手方向と直交する軸回りに回動操作されると、能動側傘歯車部材３５１を介して、受動側傘歯車部材３５０によって、回動力伝達パイプ３１３に長手方向の軸回りに回動力が伝達される。その結果、回動力伝達パイプ３１３が当該回動力伝達パイプ３１３の先端に固定されている回動力伝達コイル３１７（図９参照）に回動力を伝え、挟持部３０８（図１参照）が回動される。
【００７０】
上記軸受けプレート３４９は、回動に伴って生じる摩擦などによって、回動ダイヤル３０７と先端側外装部材３２７ａとの磨耗劣化を防止するための保護用のプレートとしての機能も兼ねている。また、回動ダイヤル３０７は、上述したように、外周部が操作部３０３の両側面よりも突出している。そのため、回動ダイヤル３０７は、万一において、術者又は看護師の取り扱いによって、能動側傘歯車部材３５１の歯車を有している側と反対側の端部から回動ダイヤル３０７を引き抜く力が加えられる場合がある。その対策として、回動ダイヤル３０７の側面には、軸受けプレート３４９が設けられ、能動側傘歯車部材３５１から回動ダイヤル３０７を引き抜く大きな力が加えられることを防止している。
【００７１】
すなわち、軸受けプレート３４９は、回動ダイヤル３０７よりも外周の直径が僅かに小さい。これにより術者の人指し指で直接に回動操作される回動ダイヤル３０７の操作性を損なうことなく、引き抜く方向、つまり、先端側外装部材３２７ａから離れた方向への大きな力が加えられることを防止している。
【００７２】
図１８に示すように、回動力伝達パイプ３１３が長軸回りに回動自在に挿通している湾曲力伝達パイプ３１５には、基端部分に先端側外装部材３２７ａに対して、長軸方向に摺動自在な略筒状の留パイプ３４６が接着されている。アルミ製の留パイプ３４６は、角度可変レバー３０６の操作により、湾曲力伝達パイプ３１５と共に、長軸方向に進退移動される。
【００７３】
また、図１８及び図１９に示すように、留パイプ３４６の基端部分には、ステンレスなどの金属からなるスラスタ３５３が嵌合固着されている。このスラスタ３５３には、２つのネジ孔が外周面側から同軸上に切削され、これら２つのネジ孔に夫々ステンレスなどの金属からなるネジピン３５４ａ，３５４ｂが螺着されている。
【００７４】
詳しくは、スラスタ３５３は、略円柱形状の部材の外周側の両端部分を平行な面を有するようにカットされ、これらのカットされた夫々の面から内部側に向かって、前記各カット面に対して直交する方向に、２つのネジ孔が形成される。そして、前記２つのネジ孔には、ネジピン３５４ａ，３５４ｂが夫々螺合され、各ネジピン３５４ａ，３５４ｂの一端部分が突起するように設けられている。
【００７５】
尚、各ネジピン３５４ａ，３５４ｂが螺着される２つの孔部は、夫々の孔軸が同軸上となるように、スラスタ３５３に形成される。すなわち、２つのネジピン３５４ａ，３５４ｂは、同じ軸上に夫々の長軸が沿って、スラスタ３５３の外周側の両端部分において対称となる位置において、夫々がスラスタ３５３の外周方向に突起している。尚、これら２つのネジピン３５４ａ，３５４ｂは、夫々のネジ頭にマイナスドライバによる締め付けを可能とする溝が形成されている。
【００７６】
また、スラスタ３５３には、２つのネジピン３５４ａ，３５４ｂの軸に直交し、且つ、留パイプ３４６の長軸と直交する１方向側の外周部から中央に向かった切り欠きが形成されている。このスラスタ３５３の切欠かれた部分は、対向する平行な２つの平面を有している。
【００７７】
なお、留パイプ３４６は、基端部分の外周に周溝が形成されており、その周溝は、スラスタ３５３の前記切欠かれた部分の平行な２つの平面に夫々対応する平面を有するような形状加工が施されて形成される。これにより、スラスタ３５３は、切欠かれた部分の２つの面と、留パイプ３４６の周溝の溝面が夫々接触するように、切欠かれた部分の外周方向から留パイプ３４６の周溝に嵌合される。  
こうして、スラスタ３５３は、２つのネジピン３５４ａ，３５４ｂの軸が留パイプ３４６の長軸に直交するように、留パイプ３４６に嵌着される。
【００７８】
角度可変レバー３０６は、両端部分に長孔３０６ａが穿設された金属からなる板部材をコの字状に成形した部材である。コの字状の角度可変レバー３０６の２つの腕部には、夫々の長孔３０６ａの近傍に後述する枢軸ピン３５５が挿入される孔部３０６ｂ（図１９参照）が穿設されている。つまり、角度可変レバー３０６には、２つの長孔３０６ａと２つの孔部３０６ｂが設けられている。
【００７９】
また、角度可変レバー３０６は、２つの長孔３０６ａの夫々の中心が同じ軸を通り、且つ、２つの孔部３０６ｂの中心が同じ軸を通るように、コの字形状の腕部の対向する面を有する部分に各長孔３０６ａ及び各孔部３０６ｂが夫々位置決めされ、穿設されている。さらに、各長孔３０６ａ及び各孔部３０６ｂは、夫々の中心を通る軸が前記対向する面に対して、直交する軸となるように位置決めされている。尚、本実施の形態におけるニードルドライバ３０１には、図２５に示すように、上述の角度可変レバー３０６が操作部３０３の両側面から突出するように２つ配設される。
【００８０】
２つの角度可変レバー３０６の各長孔３０６ａには、図１９に示すように、スラスタ３５３の２つのネジピン３５４ａ，３５４ｂが当該ネジピン３５４ａ，３５４ｂの軸回りに摺動回転可能なように挿入される。また、２つの角度可変レバー３０６は、スラスタ３５３を挟んで、留パイプ３４６の長軸及び２つのネジピン３５４ａ，３５４ｂの長軸に対して夫々対称となる位置に配設される。
【００８１】
これら２つの角度可変レバー３０６の腕部は、スラスタ３５３に設けられた状態において、各ネジピン３５４ａ，３５４ｂの近傍において、互い違いとなるように重畳している。つまり、一方の角度可変レバー３０６のネジピン３５４ａが挿入している長孔３０６ａを有する部分がスラスタ３５３側となっている場合、他方の角度可変レバー３０６は、ネジピン３５４ｂが挿入している長孔３０６ａを有する部分がスラスタ３５３側となっている。
【００８２】
また、２つの角度可変レバー３０６の夫々の各孔部３０６ｂには、外側の面方向から枢軸ピン３５５が挿入されている。すなわち、本実施形態において、１つの角度可変レバー３０６の２つの孔部３０６ｂには、各枢軸ピン３５５の軸回りに摺動回転可能なように夫々枢軸ピン３５５が１つずつ挿入されるため、２つの角度可変レバー３０６が設けられる操作部３０３には、合計４つの枢軸ピン３５５が設けられる。
【００８３】
これらの４つの枢軸ピン３５５は、夫々が先端側外装部材３２７ａに圧入固定されている（図２３参照）。また、１つの角度可変レバー３０６の２つの孔部３０６ｂに挿入されている２つの枢軸ピン３５５は、夫々、長軸が同じ軸上となるように、先端側外装部材３２７ａに対向するように圧入固定されている。従って、２つの角度可変レバー３０６は、各孔部３０６ｂに対応する夫々の枢軸ピン３５５の軸回りに夫々回動自在となっている。
【００８４】
以上の構成により、２つの角度可変レバー３０６は、枢軸ピン３５５の軸回りの回動操作されることにより、スラスタ３５３を介して、留パイプ３４６を長軸方向に進退移動することができる。これにより、湾曲力伝達パイプ３１５は、留パイプ３４６の進退移動に連動して、長軸方向に進退移動する。
【００８５】
そして、この湾曲力伝達パイプ３１５が長軸方向に進退移動に合わせて、湾曲力伝達パイプ３１５の先端部分に設けられたジョイント部材３１８は、リンク部材３１９を先端側への押進又は基端側へ牽引する。また、リンク部材３１９が湾曲部ベース部材３２０を先端側へ押進又は基端側へ牽引することにより、湾曲部ベース部材３２０は、ピン３２４を回動中心として回動する。こうして、処置部３０４は、挿入部３０２の軸に対して９０度の範囲で湾曲操作がされる。
【００８６】
また、図２５に示すように、本実施の形態のニードルドライバ３０１を先端側から見たときに、２つの角度可変レバー３０６は、操作部３０３の両側面から突出するように設けられる。詳述すると、コの字状の２つの角度可変レバー３０６の各中央部は、操作部３０３の図２５の紙面に向かって見た上部側に設けられる回動ダイヤル３０７と、操作部３０３の図２５の紙面に向かって見た下部側に設けられる掌掛け部材３０１Ａ及び指掛け部材３０１Ｂ，３０１Ｃとを結び、且つ、操作部３０３の中心を通る垂直軸Ｘに対して、略直交し、且つ、操作部３０３の中心を通る水平軸Ｙが交差する操作部３０３の両側面から水平軸Ｙ方向に夫々、操作部３０３から離れる方向に突出している。
【００８７】
そのため、どちらか一方の角度可変レバー３０６を操作することによって、術者は、処置部３０４を挿入部３０２の軸に対して９０度の範囲で湾曲操作がおこなえる。すなわち、本実施の形態のニードルドライバ３０１は、操作部３０３の両側面に角度可変レバー３０６を１つずつ設けることにより、術者の利き腕（右利き及び左利き）に関係なく、処置部３０４を挿入部３０２の軸に対して容易に湾曲させることができる。この角度可変レバー３０６が操作されることによる湾曲力伝達パイプ３１５、留パイプ３４６などの進退移動の作用については、後に詳しく説明する。
【００８８】
尚、留パイプ３４６に嵌着され、２つの角度可変レバー３０６が設けられたスラスタ３５３周辺の機構は、先端側外装部材３２７ａ、本体外装部材３２７ｂ及びカバー外装部材３２７ｃによって形成された内部空間内に配置される。
【００８９】
また、図２０に示すように、スラスタ３５３の一方のネジピン３５４ｂには、２つの角度可変レバー３０６の長孔３０６ａを有する部分と一端部分が重畳し、他端が基端側へ向かって延びたステンレスなどの金属板からなる被制動部材であるブレーキバー３６１が設けられている。このブレーキバーの前記一端部分には、孔部が形成されており、この孔部にネジピン３５４ｂが挿入される。
【００９０】
このブレーキバー３６１は、操作部３０３の内部側となるカバー外装部材３２７ｃの一面に形成された溝部３２７Ｃ内に設けられることによって、ブレーキバー３６１は、直進ガイドされており、その中途部分が先端側外装部材３２７ａとカバー外装部材３２７ｃに所定の摩擦力が与えられるように挟まれている。この摩擦力により、角度可変レバー３０６の回動に際して、ある程度の回動力が必要となっている。そのため、術者は、角度可変レバー３０６の操作により、処置部３０４を挿入部３０２の軸に対して所定の角度に湾曲した状態を保つことができる。
【００９１】
尚、溝部３２７Ｃは、２つの角度可変レバー３０６の回動により、長軸方向に移動する留パイプ３４６、湾曲力伝達パイプ３１５の進退移動量と略同じ長軸方向の長さを有するように、先端側外装部材３２７ａに形成されている。
【００９２】
また、カバー外装部材３２７ｃの前記一面の中途部分には、開閉ボタン３０５を一方向に付勢している板バネ３６３の一端部が２つのピン３６３ａにより固定されている。尚、ブレーキバー３６１は、図２０に示すように、板バネ３６３とカバー外装部材３２７ｃとの間において挿通しており、板バネ３６３を固定している２つのピン３６３ａの間を通り、カバー外装部材３２７ｃの溝部３２７Ｃに全体が埋まるように保持されている。
【００９３】
ステンレス製の板バネ３６３は、基端から中途部分にかけて略長方形状の切欠き部３６３ｂが形成され、他端部となる基端部分が開閉ボタン３０５の基端側の背面と当接している。この板バネ３６３の切欠き部３６３ｂには、牽引ワイヤ３１４が挿通している。なお、牽引ワイヤ３１４の基端部分には、ステンレス製のワイヤ抜け止め部材３１４ｂが設けられている。
【００９４】
板バネ３６３の中途部分には、カバー外装部材３２７ｃ及びブレーキバー３６１に対向する面側にステンレスなどの金属からなる制動手段であるブレーキシュー３６２が設けられている。このブレーキシュー３６２は、開閉ボタン３０５が操作部３０３の内部側へ押し込まれると、板バネ３６３が受けるカバー外装部材３２７ｃ側へ移動する力に伴って、ブレーキバー３６１側へ押される。これにより、ブレーキバー３６１には、ブレーキシュー３６２及びカバー外装部材３２７ｃの溝部と夫々接触する両端面の圧力が増大して、大きな摩擦力を受ける。従って、ブレーキバー３６１は、長軸方向の移動が行えないように規制される。
【００９５】
その結果、ブレーキバー３６１の移動が規制されることにより、角度可変レバー３０６の回動と、スラスタ３５３、留パイプ３４６及び湾曲力伝達パイプ３１５の長軸方向の進退移動も行えないようになり、開閉ボタン３０５が操作部３０３の内部側へ押し込まれたときに、処置部３０４を挿入部３０２の軸に対して所定の角度に湾曲した状態を確実に保つことができる。
【００９６】
また、開閉ボタン３０５は、図２２に示すように、基端部から板バネ３６３の一端部分が当接する面にかけて、切欠き形成されたガイド溝３０５ａを有するアルミニウムなどの金属又は樹脂からなる略四角柱のブロック体である。この開閉ボタン３０５のガイド溝３０５ａには、金属製のプルリンク３６６の一端部分が挿入されている。また、開閉ボタン３０５には、ガイド溝３０５ａの軸方向と直行する方向に、プルリンク３６６を回動保持するピン３６５が設けられている。また、図１７に示すように、開閉ボタン３０５は、板バネ３６３の一端部分が当接する面側の先端部分に先端側へ突起した２つの突起部３０５ｂを有している。
【００９７】
この開閉ボタン３０５は、操作部３０３の内部側となる本体外装部材３２７ｂの面側から本体外装部材３２７ｂに設けられる孔部に嵌め込まれている。このとき、開閉ボタン３０５は、２つの突起部３０５ｂが本体外装部材３２７ｂの一面に当接することにより、操作部３０３からの抜脱が防止されている。
【００９８】
また、開閉ボタン３０５は、本体外装部材３２７ｂとカバー外装部材３２７ｃとによって形成される操作部３０３の内部空間内において操作部３０３の長軸に直交する方向に進退移動自在となっており、通常において、上述したように板バネ３６３によって本体外装部材３２７ｂの外表面方向、すなわち、２つの突起部３０５ｂが本体外装部材３２７ｂの一面に当接するように付勢されている。
【００９９】
開閉ボタン３０５に一端部分がピン３６５により回動自在に軸支されているプルリンク３６６は、他端部分に溝３６６ａが形成されており、この溝３６６ａが牽引ワイヤ３１４のワイヤ抜け止め部材３１４ｂを挟持している。また、プルリンク３６６の前記他端部分には、牽引ワイヤ３１４の溝部３６６ａからの抜け防止用のピン３６６ｂが設けられている。
【０１００】
図２２に示すように、カバー外装部材３２７ｃは、操作部３０３の内部空間を形成する側の基端部分の面から突起しているカイド凸部３２７ｃａを有している。このガイド凸部３２７ｃａは、突起側に平面部３２７ｃｂを有しており、この平面部３２７ｃｂにプルリンク３６６の前記他端部分が当接される。
【０１０１】
術者によって開閉ボタン３０５が押されることによって回動するプルリンク３６６は、カイド凸部３２７ｃａの平面部３２７ｃｂの面上に沿って直進ガイドされ、平面部３２７ｃｂの面上で前記他端部分が基端側へスライドする。このとき、牽引ワイヤ３１４は、その長軸上に沿って略ずれることなく基端側へ牽引される。
【０１０２】
すなわち、カバー外装部材３２７ｃのカイド凸部３２７ｃａの突起量、プルリンク３６６の長さ及びプルリンク３６６の前記他端部分が挟持する牽引ワイヤ３１４のワイヤ抜け止め部材３１４ｂの配置位置は、開閉ボタン３０５のボタン操作によって、牽引ワイヤ３１４が長軸上で略ずれることなく基端側若しくは先端側へ牽引弛緩されるように夫々対応するように設定されている。
【０１０３】
こうして、術者により開閉ボタン３０５が操作部３０３の内部側へ押し込まれ、連動するプルリンク３６６により、牽引ワイヤ３１４が長軸方向に沿って基端側へ牽引されると、牽引ワイヤ３１４の末端肥大部３１４ａが底部の内側に固定されている可動挟持片３２６（図１４参照）が基端側へ移動される。これにより、可動挟持片３２６のフランジ部３２６ｃの先端側の面は、固定挟持片３３１のフランジ部３３１ａの基端側の面から離れる。
【０１０４】
また、開閉ボタン３０５は、術者による操作部３０３の内部側への押し込みが開放されると、板バネ３６３からの付勢力を受け、操作部３０３の外部側へ移動する。このとき、回動部ベース部材３２５内のバネ３３３は、可動挟持片３２６の底部を押圧し、可動挟持片３２６のフランジ部３２６ｃの先端側の面が固定挟持片３３１のフランジ部３３１ａの基端側の面と当接するまで伸びる。従って、操作部３０３の開閉ボタン３０５を操作していないときに、可動挟持片３２６と固定挟持片３３１のそれぞれの平面は密着するように押圧されている。
【０１０５】
以上の結果、開閉ボタン３０５の押し込み操作及び非操作により、可動挟持片３２６が、固定挟持片３３１から基端側に向かって移動するので、可動挟持片３２６と固定挟持片３３１のそれぞれの平面間に挟持された針を放したり、針を挟持するためにそれぞれの平面の間を離したりすることができる。
【０１０６】
また、開閉ボタン３０５が押され、牽引ワイヤ３１４が基端側へ引っ張られると、その張力により、牽引ワイヤ３１４が直線状になろうとする力が発生する。そのため、処置部３０４を挿入部３０２の軸に対して所定の角度に湾曲した状態において、開閉ボタン３０５が押されると、牽引ワイヤ３１４が内部に挿通している処置部３０４は、牽引ワイヤ３１４の直線状になろうとする力を受け、挿入部３０２の軸に対して湾曲する所定の角度を保つことが出来なくなる。すなわち、術者は、処置部３０４を挿入部３０２に対して所望とする湾曲状態に保つことが出来ないため、縫合手技がし難くなる。
【０１０７】
そこで、本実施の形態のニードルドライバ３０１は、開閉ボタン３０５が押されると、ブレーキシュー３６２がブレーキバー３６１を押圧し、ブレーキバー３６１の移動を停止するため、処置部３０４を挿入部３０２の軸に対して所定の角度に湾曲した状態を確実に保つことができる構成となっている。その結果、術者は、処置部３０４を挿入部３０２に対して所望とする湾曲状態に保つことが出来でき、縫合手技が行い易くなる。このブレーキシュー３６２によるブレーキバー３６１の移動が停止される動作について、更に、後で詳しく説明する。
【０１０８】
なお、上述したように、受動側傘歯車部材３５０の、歯車を有する端部は、先端側を向いている。そして、挿入部３０２は、操作部３０３に対して挿入部３０２の軸回りに回動可能となっている。従って、術者が操作部３０３を回動ダイヤル３０７側から見たときに、挿入部３０２の挿入軸に対して処置部３０４の延出方向がその術者が見ている目の方向と同じときは、回動ダイヤル３０７の回動方向（すなわち術者から見て右回りか左回りか）は、処置部３０４の回動方向と同じ方向になる。そして、挿入部３０２を、操作部３０３に対して挿入部３０２の軸回りに回動させて、術者が操作部３０３を回動ダイヤル３０７側から見たときに、挿入部３０２の挿入軸に対して処置部３０４の延出方向がその術者の視線方向と同じときは、回動ダイヤル３０７の回動方向は、処置部３０４の回動方向と逆方向になる。
【０１０９】
縫合時、ニードルドライバ３０１と鉗子を用いる場合が多い。そのような場合は、術者が操作部３０３を回動ダイヤル３０７側から見たときに、挿入部３０２の挿入軸に対して処置部３０４の延出方向がその術者が見ている目の方向と同じとなるので、ニードルドライバ３０１の処置部３０４の回動操作の操作性はよい。
【０１１０】
なお、牽引ワイヤ３１４が、まっすぐ基端側に向かって牽引されるように、プルリンク３６６がガイド凸部３２７ｃａの平面部３２７ｃｂに当接するようにしているが、図２６に示すような構成でもよい。図２６は、牽引ワイヤ３１４をまっすぐ基端側に向かって牽引するための他の構造を説明するための図であって、プルリンク３６６とガイド凸部３２７ｃａとが当接している状態を牽引ワイヤ３１４の基端側から見た図である。図２６に示すように、プルリンク３６６に設けられたピン３６６ｂがガイド凸部３２７ｃａの平面部３２７ｃｂに当接する。ガイド凸部３２７ｃａには、操作部３０３の軸方向に沿った溝部３２７ｃｃが形成され、その溝部３２７ｃｃにてプルリンク３６６の一端が入り込んでいる。ピン３６６ｂが平面部３２７ｃｂに当接している状態で、牽引ワイヤ３１４の軸中心３１４ｃが、平面部３２７ｃｂの平面内に位置するようになっている。従って、開閉ボタン３０５が押されると、溝部３２７ｃｃに沿ってプルリンク３６６の一端が移動して牽引ワイヤ３１４を基端側に牽引する。このとき、牽引ワイヤ３１４の軸中心３１４ｃが、常に平面部３２７ｃｂの平面内に位置するようにしながら、牽引ワイヤ３１４が基端側に引っ張られる。従って、牽引ワイヤ３１４が、まっすぐ基端側に向かって牽引される。
【０１１１】
以下に、本実施の形態に係るニードルドライバ３０１の２つの角度可変レバー３０６及び開閉ボタン３０５の押し込み操作によるブレーキシュー３６２の動作について、図２７〜図３１に基づいて詳細に説明する。図２７〜図２９は、角度可変レバー３０６の動作説明のための操作部３０３の部分断面図、図３０及び図３１はブレーキシュー３６２の動作説明のための操作部３０３の部分断面図である。
【０１１２】
先ず、図２７〜図２９に基づいて、角度可変レバー３０６の動作説明を以下に行う。  
図２７に示す角度可変レバー３０６の状態、つまり、２つの角度可変レバー３０６が紙面の左側（操作部３０３の先端側）に傾いている状態において、処置部３０４は、その長軸が挿入部３０２の軸にと略同じ軸上にある状態、すなわち、挿入部３０２に対して略直線となる状態である。
【０１１３】
術者によって、図２７の矢印ａ方向にどちらか一方の角度可変レバー３０６の一端部分が操作されると、２つの角度可変レバー３０６は、対応する枢軸ピン３５５を支軸として、夫々回動する。そして、図２８及び図２９に示すように、術者により操作される一端部分と反対側の他端部は、矢印ｂ方向である操作部３０３の先端側に移動される。
【０１１４】
これにより、２つの角度可変レバー３０６の各長孔３０６ａに挿入されているネジピン３５４ａ，３５４ｂ（図面上は、ネジピン３５４ｂのみ図示）を操作部３０３内において先端側へ押進する。ネジピン３５４が螺着しているスラスタ３５３も一体的に矢印ｂ方向である先端側に移動し、留パイプ３４６も押進される。これに伴って、一端にネジピン３５４ｂが挿入されているブレーキバー３６１も、ネジピン３５４ｂの移動により、矢印ｂ方向である先端側に移動する。
【０１１５】
従って、上述したように、留パイプ３４６が湾曲力伝達パイプ３１５を先端側へ押進して、湾曲力伝達パイプ３１５の先端部分に設けられたジョイント部材３１８がリンク部材３１９を先端側へ押進する。また、リンク部材３１９が湾曲部ベース部材３２０を先端側へ押進することにより、湾曲部ベース部材３２０は、ピン３２４を回動中心として回動する。こうして、処置部３０４は、挿入部３０２の軸に対して９０度の範囲で湾曲操作がされる（図１３及び図１４参照）。
【０１１６】
また、上述と逆方向に２つの角度可変レバー３０６が操作されると、各部材が基端側へ牽引されるため、処置部３０４は、挿入部３０２の軸に対する角度が小さくなり、図２７の２つの角度可変レバー３０６の位置において、処置部３０４と挿入部３０２は略直線状態となる。（図６及び図８参照）。
【０１１７】
尚、術者が２つの角度可変レバー３０６から手を放しても、上述したように、ブレーキバー３６１が先端側外装部材３２７ａとカバー外装部材３２７ｃの溝部３２７Ｃによる所定の摩擦力が生じているため、その摩擦力によって、各部材の移動が静止し、処置部３０４は、挿入部３０２の軸に対して術者の所望の角度を保った状態を維持する。
【０１１８】
以上の結果、術者は、２つの角度可変レバー３０６の一方の端部を操作部３０３の側面に沿って先端側又は基端側へ移動することで、処置部３０４を挿入部３０２の軸に対して９０度の範囲で所望の湾曲操作が行える。
【０１１９】
次に、開閉ボタン３０５の押し込み操作によるブレーキシュー３６２の動作について図３０及び図３１に基づいて説明する。  
図３０に示すように、開閉ボタン３０５が術者によって矢印Ａ方向に押し込まれると、図３１に示すように、板バネ３６３は、ブレーキシュー３６２を矢印Ｂ方向へ押圧する。この矢印Ｂ方向へ押圧されたブレーキシュー３６２は、その一面と接触するブレーキバー３６１を矢印Ｂ方向へ押圧する。
【０１２０】
これによりブレーキバー３６１は、カバー外装部材３２７ｃの溝部３２７Ｃ内において、一部分がブレーキシュー３６２と溝部３２７Ｃとの間で挟まれるように圧接され、その摩擦力により操作部３０３の長軸方向の移動が行えなくなる。
【０１２１】
また、開閉ボタン３０５が矢印Ａ方向に押し込まれると、プルリンク３６６は、ピン３６５の軸回りに回動され、ピン３６５が挿通している一端部分が矢印Ａ方向に沈み込むように操作部３０３の内部方向へ移動される。これに伴って、プルリンク３６６の他端は、カバー外装部材３２７ｃのカイド凸部３２７ｃａの表面上を摺動しながら矢印Ｃ方向である操作部３０３の基端側へ移動する。
【０１２２】
こうして、プルリンク３６６の他端にワイヤ抜け止め部材３１４ｂが保持されている牽引ワイヤ３１４が矢印Ｃ方向に引っ張られることによって、可動挟持片３２６のフランジ部３２６ｃの先端側の面は、固定挟持片３３１のフランジ部３３１ａの基端側の面から離れる。
【０１２３】
以上の結果、開閉ボタン３０５が押され、基端側へ引っ張られる張力により、牽引ワイヤ３１４が直線状になろうとする力が発生しても、ブレーキシュー３６２がブレーキバー３６１を押圧し、ブレーキバー３６１の移動を停止するため、処置部３０４を挿入部３０２の軸に対して所定の角度に変更した状態を確実に保つことができる構成となっている。
【０１２４】
以上のように、本実施の形態に係わるニードルドライバ３０１によれば、処置部３０４が挿入部３０２の軸に対して所定の角度に変更された状態において、術者により縫合針の把持のため開閉ボタン３０５が押し込み操作が行われば、ブレーキシュー３６２がブレーキバー３６１を押圧して、処置部３０４の湾曲角度を維持することができる構成となっている。そのため、牽引ワイヤ３１４が基端側へ引っ張られる張力により、直線状になろうとする力が発生しても、処置部３０４は、挿入部３０２の軸に対して所定の角度に変更した状態を確実に保つことができる。
【０１２５】
また、ニードルドライバ３０１は、開閉ボタン３０５が押されていない状態においても、ブレーキバー３６１がブレーキシュー３６２とカバー外装部材３２７ｃにより所定の摩擦力を受けている。そのため、術者は、角度可変レバー３０６から手を放しても、処置部３０４が挿入部３０２の軸に対して所定の角度に変更した状態を保つことができる。
【０１２６】
本実施の形態に係わるニードルドライバは、２つの挟持片のうち、先端側の挟持片は固定されて、基端側の挟持片が可動式となっている。従って、針を挟持するために、処置部８を位置決めするための動作が容易かつ確実に行うことができるので、針挟持の操作性がよい。
【０１２７】
さらに、上述したように、本実施の形態に係わる外科用処置具としてのニードルドライバ３０１は、処置部３０４の挟持部３０８が２つのフランジ部によって針を挟持する構造となっている。そして、針を挟持する挟持面がいわゆるドーナツ状であるため、針を全周方向において挟持可能である。よって、術者は、針を挟持する操作を行うときに、処置部８の向きを調整する必要がなく、挟持操作を容易にかつスムーズに針の行うことができる。
【０１２８】
従って、上述した本実施の形態に係わる各ニードルドライバによれば、内視鏡下での組織吻合等において、操作性が良い外科手術処置具を実現することができる。操作性も良いので内視鏡下での組織吻合が容易となり、手術の質向上、手術時間の短縮が図れ、さらに、細径化が図れるので低侵襲となり、患者の早期退院、社会復帰が早まる。
【０１２９】
（第２の実施の形態）  
次に、本発明の第２の実施の形態に係るニードルドライバについて、図面を用いて説明する。第２の実施の形態は、第１の実施の形態における処置部の構成が異なり、挿入部と操作部は同じであるので、処置部のみ説明し、他の構成についての説明は省略する。
【０１３０】
図３２は、第２の本実施の形態に係わる処置部の斜視図である。図３３は、本実施の形態に係わる処置部の正面図である。図３４は、本実施の形態に係わる処置部の断面図である。図３５は、処置部の内部構造を説明するための斜視図である。図３６は、一部の部材を省略した、処置部の内部構造を説明するための斜視図である。
【０１３１】
図３２のニードルドライバ４０１の処置部４０４は、挟持部４０８を有している。第１の実施の形態と同様に、挿入部３０２の一端から延出するように設けられた処置部４０４は、先端側に、挟持部４０８を有しており、挟持部４０８の軸方向、すなわち処置部４０４の延出方向は、挿入部３０２の軸方向に対して所定の角度の範囲内、例えば０から９０度の範囲で可変となっている。
【０１３２】
処置部４０４は、ステンレス製の湾曲部ベース部材４２０を有し、湾曲部ベース部材４２０は、基端側に、２つの腕部４２０ａ、４２０ｂを有する。なお、湾曲部ベース部材４２０は、先端側に円筒状部４２０ｃを有し、ステンレス製の筒状部材である回動筒部材４２５の基端部が、その円筒状部４２０ｃの内側において摺動可能に、かつ回動筒部材４２５が、回動筒部材４２５の軸を回動中心として回動可能なように、円筒状部４２０ｃの内側に嵌挿している。さらに、湾曲部ベース部材４２０と先端ハウジング部材３１２とは、第１の実施の形態と同様に、２つの腕部３１２ａと３１２ｂに嵌入するピン３２４が湾曲部ベース部材４２０に設けられた孔に嵌入されることによって連結され、湾曲部ベース部材４２０は、ピン３２４の軸中心を回動中心として、回動可能となっている。
【０１３３】
図３４と図３５に示すように、回動筒部材４２５は、先端側には中央部に孔を有する先端側上部を有し、基端側には中央部に孔を有する基端側底部を有し、かつ、中央の筒状部は、回動筒部材４２５の軸方向に沿って一部が切り取られた形状を有し、軸方向に沿った切断面４２５ａを有する。回動筒部材４２５の軸方向に沿って一部が切り取られた部分は、回動筒部材４２５の軸中心からずれた位置に開口部を形成し、その開口部から、軸方向移動部材の一部である牽引ワイヤ３１４が露出している。なお、本実施の形態では、その開口部の開口方向は、回動筒部材４２５の軸に直交する方向であるが、回動筒部材４２５の中心軸から偏芯した位置において、回動筒部材４２５の中心軸に平行な方向であってもよい。
【０１３４】
回動筒部材４２５の先端側上部には、その一部が切り取られた側において、回動筒部材４２５の軸に直交する方向に突出する突出部４２５ｂが設けられている。
【０１３５】
回動筒部材４２５の基端側の筒状部には、その一部が切り取られた側において、切り欠き部４２５ｃが設けられている。また、回動筒部材４２５の基端側の筒状部には、その一部が切り取られていない側において、孔部４２５ｄが設けられている。
【０１３６】
また、湾曲部ベース部材４２０の円筒状部４２０ｃ内には、円筒状の可動挟持片４２６が、湾曲部ベース部材４２０の軸と可動挟持片４２６の軸とが同軸上になるように挿通されている。
【０１３７】
さらに、円柱状の軸部材である固定挟持片４３１は、ステンレス製の可動挟持片４２６の筒状部の内側に挿通され、回動筒部材４２５の軸と固定挟持片４３１の軸が同軸になるように、固定挟持片４３１の基端部が、回動筒部材４２５の先端側上部にネジ止めされている。具体的には、固定挟持片４３１の基端部の外周部にはネジが形成されており、回動筒部材４２５の先端側上部にはネジが内周面に形成されているので、固定挟持片４３１の基端部を回動筒部材４２５の先端側上部の孔にネジ込むようにしてネジ止めされて固定される。ステンレス製の固定挟持片４３１は、先端部にフランジ部４３１ａを有する円柱状部材である。固定挟持片４３１の基端部が回動筒部材４２５の先端側上部にネジ止めされているので、固定挟持片４３１は、回動筒部材４２５に対してぐらつくことなく固定されている。
【０１３８】
さらにまた、円柱状の固定挟持片４３１の中央部には、固定挟持片４３１の軸中心から外径方向に突出した周状凸部が設けられている。周状凸部の外周面には、ネジ部４３１ｂが形成されている。一方、可動挟持片４２６の筒状部の中央部の内周面にも、周状凸部４３１ｂの外周面のネジが螺合するネジ部４２６ｅを有する。よって、固定挟持片４３１の外径の最大部は、可動挟持片４２６の筒状部の内径の最小部よりも大きい。
【０１３９】
従って、固定挟持片４３１を可動挟持片４２６の筒状部の内側に挿通するには、固定挟持片４３１のネジ部４３１ｂを、可動挟持片４２６のネジ部４２６ｅをねじ込むようにして通されなければならないが、ネジ部４３１ｂがネジ部４２６ｅとの螺合する部分を通り過ぎると、固定挟持片４３１は軸方向に沿って自由に移動できる。その結果、ネジ部４３１ｂがネジ部４２６ｅとの螺合する部分を通り過ぎると、ネジ部４３１ｂがネジ部４２６ｅとの螺合する部分に引っ掛かるため不用意に抜け落ちることがない。
【０１４０】
回動筒部材４２５の基端側底部の先端側には、ステンレス製の回動力伝達コイル止め部材４２７が配置されている。回動力伝達コイル止め部材４２７は、リング状部材であって、外径方向に２つの突出部を有している。２つの突出部は、それぞれ回動筒部材４２５の切り欠き部４２５ｃと孔部４２５ｄに係合するように設けられている。回動力伝達コイル止め部材４２７の中心部の孔には、回動力伝達コイル３１７が嵌合してろう付けされ、固定されている。
【０１４１】
可動挟持片４２６は、先端側には、中央部に孔を有するフランジ部４２６ａを有し、基端側には中央部に孔を有する基端側底部４２６ｂを有する。さらに、可動挟持片４２６の中央の筒状部の先端側の外径は、基端側の外径よりも小さい。中央の筒状部の基端側の部分は、図３６に示すように、可動挟持片４２６の軸方向に沿って一部が切り取られた形状を有し、軸方向に沿った切断面４２６ｃを有する。また、図３５に示すように、可動挟持片４２６の中央の筒状部には、その一部が切り取られていない側において、軸方向に沿って長い孔部４２６ｄが設けられている。孔部４２６ｄ内には、回動筒部材４２５の突出部４２５ｂが位置している。
【０１４２】
可動挟持片４２６の基端側底部４２６ｂには、牽引ワイヤ３１４が挿通可能な孔が設けられている。牽引ワイヤ３１４の先端部には、先端部を溶融して形成した末端肥大部３１４ａが形成されている。基端側底部４２６ｂの先端側の面には、中央部に孔を有し、外周方向に凸部を有するリング状の、ステンレス製のワイヤ止め４２８が接着されている。ワイヤ止め４２８の凸部は、基端側底部４２６ｂの外周部に設けられた切り欠き部に係合している。末端肥大部３１４ａは、ワイヤ止め４２８の先端側の面に当接して係止されているので、牽引ワイヤ３１４が、操作部３０３側に引っ張られたときに、可動挟持片４２６も操作部３０３側に移動する。牽引ワイヤ３１４、ワイヤ止め４２８及び可動挟持片４２６が、軸方向移動部材を構成する。
【０１４３】
回動筒部材４２５の円筒状部の内側であって、可動挟持片４２６の基端側底部４２６ｂの外側面と、その外側面と対向する回動力伝達コイル止め部材４２７の先端側の面との間に、ステンレス製のバネ３３３が、圧縮された状態で、牽引ワイヤ３１４に介装されるようにして設けられている。バネ３３３は、圧縮された状態で、回動筒部材４２５の内部に設けられる。
【０１４４】
特に、図３５に示すように、回動筒部材４２５の先端側上部は、可動挟持片４２６の軸方向において、可動挟持片４２６のフランジ部４２６ａと基端側底部４２６ｂの間に位置するように配置される。具体的には、可動挟持片４２６が基端側に引っ張られたときに、回動筒部材４２５の一部が切り取られた部分に、可動挟持片４２６の一部が切り取られていない部分が入り込むように、回動筒部材４２５と可動挟持片４２６は配置される。上述したように、回動筒部材４２５の突出部４２５ｂは、長孔である孔部４２６ｄ内に位置しているので、可動挟持片４２６は、固定された固定挟持片４３１に対して、軸方向において進退動作が可能となっている。
【０１４５】
また、回動筒部材４２５の一部が切り取られていない部分と可動挟持片４２６の一部が切り取られていない部分は、回動筒部材４２５の筒部の周方向において、それぞれ対向する切断面４２５ａ、４２６ｃを有する。よって、回動筒部材４２５が軸周りに回動すると、その回動方向において回動筒部材４２５が可動挟持片４２６の切断面を押圧するので、可動挟持片４２６も同じ方向に回動する。
【０１４６】
以上の構成に係る処置部の組み立て方法を説明する。まず、可動挟持片４２６の基端側底部４２６ｂにワイヤ止め４２８を接着して固定する。固定挟持片４３１を可動挟持片４２６の内側に、一部分、螺合させながら挿入して、固定挟持片４３１と可動挟持片４２６とを組み合わせた状態で、固定挟持片４３１を回動筒部材４２５の先端側上部にネジ止めする。
【０１４７】
牽引ワイヤ３１４の基端部を、可動挟持片４２６の基端側底部４２６ｂの先端側からワイヤ止め４２８の孔に通す。可動挟持片４２６の基端側底部４２６ｂに、牽引ワイヤ３１４を内側に介装させて、バネ３３３を配置する。
【０１４８】
一方、回動力伝達パイプ３１３と回動力伝達コイル３１７と回動力伝達コイル止め部材４２７とが互いに固定されたものを、回動筒部材４２５の基端側底部の先端側から、基端側底部の孔に挿入する。
【０１４９】
次に、牽引ワイヤ３１４の基端部を、回動力伝達コイル３１７の内側に挿入して、バネ３３３を圧縮しながら、可動挟持片４２６と固定挟持片４３１とからなる挟持部４０８を回動筒部材４２５に装着する。最後に、回動力伝達パイプ３１３と回動力伝達コイル３１７とが延出する回動筒部材４２５を、湾曲部ベース部材４２０の円筒状部４２０ｃの先端側から挿入することによって、処置部４０８が組み立てられる。
【０１５０】
次に、以上の構成に係るニードルドライバ４０１の動作を説明する。操作部３０３における操作と、その操作に伴う挿入部３０２までの構成要素の動作は同じであるので、説明は省略し、処置部４０４における動作を主として説明する。
【０１５１】
開閉ボタン３０５が開操作されると、牽引ワイヤ３１４が基端側に牽引される。牽引ワイヤ３１４が基端側に引っ張られると、末端肥大部３１４ａがワイヤ止め４２８と共に、可動挟持片４２６が基端側に移動する。このとき、可動挟持片４２６は、バネ３３３の伸長する方向に掛かる力に抵抗しながら、可動挟持片４２６は、フランジ部４２６ａが固定挟持片４３１のフランジ部４３１ａから離間するように、操作部３０３側に移動する。従って、牽引ワイヤ３１４が牽引されると、可動挟持片４２６は、牽引ワイヤ３１４が引っ張られた量だけ、図３２の矢印に示す方向に移動する。開操作がされなくなると、バネ３３３の伸長力によって、バネ３３３は、可動挟持片４２６を固定挟持片４３１に密着する方向へ付勢する。その結果、挟持部４０８において、固定挟持片４３１のフランジ部４３１ａの平面部と可動挟持片４２６のフランジ部４２６ａの平面部の間に位置する針が挟持される。
【０１５２】
次に回動動作について説明する。  
針が挟持された状態において、あるいは針が挟持されていない状態において、回動ダイヤル３０７が回動されると、軸部材である回動力伝達パイプ３１３が軸を回動中心として回動するために、回動力伝達パイプ３１３に固定された回動力伝達コイル３１７が回動し、回動力伝達コイル３１７に固定された回動力伝達コイル止め部材４２７も回動する。回動力伝達コイル止め部材４２７の２つの突出部は、それぞれ回動筒部材４２５の切り欠き部４２５ｃと孔部４２５ｄに係合しているので、その結果、回動力伝達コイル３１７の回動に連動して、回動筒部材４２５も軸周りに回動する。回動筒部材４２５の切断面４２５ａと、可動挟持片４２６の切断面４２６ｃとが、周方向において当接するので、回動筒部材４２５の軸周りの回動力は、可動挟持片４２６を軸周りに回動させる。よって、回動ダイヤル３０７が回動された量に応じた回動量が、処置部４０４へ伝達される。すなわち、挟持部４０８を構成する固定挟持片４３１と可動挟持片４２６は、回動筒部材４２５の回動に連動して、回動筒部材４２５と共に回動する。
【０１５３】
また、このとき、牽引ワイヤ３１４は、可動挟持片４２６の基端側底部４２６ｂの孔に対して軸周りに摺動可能となっているため、可動挟持片４２６が回動しても、牽引ワイヤ３１４は、当該可動挟持片４２６と共に軸周りに回動することはない。
【０１５４】
角度可変動作は、第１の実施の形態と同様であるので、説明は省略する。  
本実施の形態に係わるニードルドライバは、２つの挟持片のうち、先端側の挟持片は固定され、基端側の挟持片が軸方向に可動式となっている。従って、針を挟持するために、処置部４０８を位置決めするための動作が容易かつ確実に行うことができるので、針挟持の操作性がよい。
【０１５５】
さらに、上述したように、本実施の形態に係わる外科用処置具としてのニードルドライバ４０１は、処置部４０４の挟持部４０８が２つのフランジ部によって針を挟持する構造となっている。そして、針を挟持する挟持面がいわゆるドーナツ状であるため、針を全周方向において挟持可能である。よって、術者は、針を挟持する操作を行うときに、処置部４０８の向きを調整する必要がなく、挟持操作を容易にかつスムーズに針の行うことができる。
【０１５６】
さらにまた、可動挟持片４２６が基端側に引っ張られたときに、回動筒部材４２５と可動挟持片４２６が、それぞれ一部が切り取られた部分を有し、互いに、切り取られた部分に切り取られていない部分に入り込むように構成されているので、処置部４０８の細径化と軽量化を実現することができる。
【０１５７】
従って、上述した本実施の形態に係わる各ニードルドライバによれば、内視鏡下での組織吻合等において、操作性が良い外科手術処置具を実現することができる。操作性も良いので内視鏡下での組織吻合が容易となり、手術の質向上、手術時間の短縮が図れ、さらに、細径化が図れるので低侵襲となり、患者の早期退院、社会復帰が早まる。
【０１５８】
（第３の実施の形態）  
次に、本発明の第３の実施の形態に係るニードルドライバについて、図面を用いて説明する。第３の実施の形態は、第１の実施の形態における処置部の構成が異なり、挿入部と操作部は同じであるので、処置部のみ説明し、他の構成についての説明は省略する。
【０１５９】
図３７は、第３の実施の形態に係る先端部の構成を示す模式的断面図である。図３８は、回動筒部材の斜視図である。図３９は、スライダの斜視図である。
【０１６０】
図３７のニードルドライバ５０１の処置部５０４は、挟持部５０８を有している。第１の実施の形態と同様に、挿入部３０２の一端から延出するように設けられた処置部５０４は、先端側に、ステンレス製の２つの可動挟持片５３１ａ、５３１ｂからなる挟持部５０８を有しており、挟持部５０８の軸方向、すなわち処置部５０４の延出方向は、挿入部３０２の軸方向に対して所定の角度の範囲内、例えば０から９０度の範囲で可変となっている。
【０１６１】
処置部５０４は、湾曲部ベース部材５２０を有し、湾曲部ベース部材５２０は、基端側に、２つの腕部（図示せず）を有し、湾曲部ベース部材５２０と先端ハウジング部材３１２とは、第１の実施の形態と同様に、２つの腕部（図示せず）に嵌入するピン３２４が湾曲部ベース部材５２０に設けられた孔に嵌入されることによって連結され、湾曲部ベース部材５２０は、ピン３２４の軸を回動中心として、回動可能となっている。なお、湾曲部ベース部材５２０は、先端側に円筒状部５２０ｃを有し、ステンレス製の回動筒部材５２５の基端部が、その円筒状部５２０ｃの内側に嵌挿している。さらに、円筒状の回動筒部材５２５は、回動筒部材５２５の軸周りに回動可能なように、回動筒部材５２５の円筒状部５２０ｃ内に嵌挿されている。
【０１６２】
図３７と図３８に示すように、回動筒部材５２５は、先端側上部５２５ａと、基端側底部５２５ｂと、先端側上部５２５ａと基端側底部５２５ｂとの間の筒状部５２５ｃとを有する筒状部材である。先端側上部５２５ａは、円柱状の棒形状を有しており、さらにその棒形状の先端部には軸方向に延出する板形状の板部５２５ｄを有している。板部５２５ｄには、回動筒部材５２５の軸に直交する方向に穿設された孔５２５ｅが設けられている。
【０１６３】
基端側底部５２５ｂは、中央部に回動筒部材５２５の軸方向に穿設された孔を有する。中央の筒状部５２５ｃは、回動筒部材５２５の軸方向に沿って一部が切り取られた形状を有し、軸方向に沿った切断面５２５ｆを有する。
【０１６４】
回動筒部材５２５の軸方向に沿って一部が切り取られた部分は、回動筒部材５２５の軸中心からずれた位置に開口部を形成し、その開口部から、軸方向移動部材の一部である牽引ワイヤ３１４が露出している。なお、本実施の形態では、その開口部の開口方向は、回動筒部材５２５の軸に直交する方向であるが、回動筒部材５２５の中心軸から偏芯した位置において、回動筒部材５２５の中心軸に平行な方向であってもよい。
【０１６５】
さらに、湾曲部ベース部材５２０の円筒状部５２０ｃ内には、ステンレス製の円筒状のスライダ５２６が、湾曲部ベース部材５２０の軸とスライダ５２６の軸とが同軸上になるように挿通されている。
【０１６６】
図３９に示すように、円筒状のスライダ５２６は、先端側上部５２６ａと、基端側底部５２６ｂと、先端側上部５２６ａと基端側底部５２６ｂとの間の筒状部５２６ｃとを有する。先端側上部５２６ａは、円筒形状を有しており、さらにその円筒形状の先端部には軸方向に沿った切り欠き部５２６ｄを有している。円筒状の先端側上部５２６の内側には、棒状の先端側上部５２５ａが、軸方向に摺動可能に挿通される。円筒状のスライダ５２６の筒状部５２６ｃは、回動筒部材５２６の軸方向に沿って一部が切り取られた形状を有し、軸方向に沿った切断面５２６ｅを有する。
【０１６７】
基端側底部５２６ｂは、中央部に回動筒部材５２６の軸方向に穿設された孔を有する。基端側底部５２６ｂの先端側にテーパ部が設けられ、図３７に示すように、そのテーパ部に、牽引ワイヤ３１４の末端肥大部３１４ａが係止するように構成されている。牽引ワイヤ３１４とスライダ５２６とが、軸方向移動部材を構成する。
【０１６８】
回動筒部材５２５の基端側底部５２５ｂの先端側の面と、スライダ５２６の基端側底部５２６ｂの基端側の面の間には、ステンレス製のバネ３３３が、圧縮された状態で、牽引ワイヤ３１４に介装されるようにして設けられている。バネ３３３は、圧縮された状態で、回動筒部材５２５の内部に設けられる。
【０１６９】
円筒状のスライダ５２６の切り欠き部５２６ｄに、２つの可動挟持片５３１ａ、５３１ｂのそれぞれの基端部の一部が入り込むようにして配置されている。  
具体的には、２つの可動挟持片５３１ａ、５３１ｂは、それぞれ基端側に、回動筒部材５２５の軸に直交する方向に穿設された孔５３３ａ、５３３ｂを有する板状部材である。孔５３３ａ、５３３ｂには、回動筒部材５２５の先端部に設けられた孔５２５ｅにも挿通する、ステンレス製のピン５３２が挿通され、後述するように、回動筒部材５２５の軸方向における動きに対応して、２つの可動挟持片５３１ａ、５３１ｂは、先端部が開閉するように、ピン５３２を軸中心として回動可能なように軸支されている。
【０１７０】
２つの可動挟持片５３１ａ、５３１ｂは、基端側から先端側に向けて回動筒部材５２５の軸中心から徐々に離れる方向に穿設された長孔５３４ａ、５３４ｂを有する。長孔５３４ａ、５３４ｂには、円筒状のスライダ５２６の先端部に設けられた切り欠き部５２６ｄに回動筒部材５２５の軸に直交する方向に設けられたピン５３５ａ、５３５ｂが、それぞれ遊挿されている。ピン５３５ａ、５３５ｂは、ステンレス製であり、スライダ５２６の先端側上部５２６ａの薄肉部の先端部の、スライダ５２６の軸に対して対称の位置に設けられる。後述するように、スライダ５２６の軸方向における動きに対応して、２つのピン５３５ａ、５３５ｂが基端側に移動したときに、２つの可動挟持片５３１ａ、５３１ｂの先端部が開くように、ピン５３５ａ、５３５ｂが、それぞれ長孔５３４ａ、５３４ｂ内を移動していく。
【０１７１】
２つの可動挟持片５３１ａ、５３１ｂは、先端側に、平坦な挟持面５３６ａ、５３６ｂをそれぞれ有する。  
回動筒部材５２５の基端側底部５２５ｂには、回動力伝達コイル３１７が嵌合してろう付けされ、固定されている。
【０１７２】
また、図３７に示すように、回動筒部材５２５の円柱状の先端側上部５２５ａは、円筒状の先端側上部５２６の内側に挿通されている。そして、スライダ５２６の基端側底部５２６ｂは、回動筒部材５２５の一部が切り取られた部分に、入り込むように配置される。さらに、スライダ５２６が回動筒部材５２５の軸方向に沿って移動すると、スライダ５２６の一部が切り取られていない部分が、回動筒部材５２５の一部が切り取られた部分において移動するように、回動筒部材５２５とスライダ５２６は、配置されている。
【０１７３】
また、回動筒部材５２５の一部が切り取られていない部分と可動挟持片４２６の一部が切り取られていない部分は、回動筒部材５２５の筒部の周方向において、それぞれ対向する切断面５２５ｆ、５２６ｅを有する。よって、回動筒部材５２５が軸周りに回動すると、その回動方向において回動筒部材４２５が可動挟持片４２６の対向する切断面５２５ｆ、５２６ｅを押圧するので、スライダ５２６も同じ方向に回動する。
【０１７４】
次に、以上の構成に係るニードルドライバ５０１の動作を説明する。操作部３０３における操作と、その操作に伴う挿入部３０２までの構成要素の動作は同じであるので、説明は省略し、処置部５０４における動作を主として説明する。
【０１７５】
開閉ボタン３０５が開操作されると、牽引ワイヤ３１４が基端側に牽引される。牽引ワイヤ３１４が基端側に引っ張られると、末端肥大部３１４ａがスライダ５２６の基端側底部５２６ｂに係止されているので、スライダ５２６は基端側に移動する。このとき、スライダ５２６は、バネ３３３の伸長する方向に掛かる力に抵抗しながら、スライダ５２６は基端側に移動する。
【０１７６】
スライダ５２６が基端側に移動すると、同時にピン５３５ａ、５３５ｂも基端側に移動する。ピン５３２によって２つの可動挟持片５３１ａ、５３１ｂの基端部は軸支されているので、スライダ５２６に固定されたピン５３５ａ、５３５ｂが基端側に移動すると、ピン５３５ａ、５３５ｂはそれぞれ長孔５３４ａ、５３４ｂ内を移動していく。よって、２つの可動挟持片５３１ａ、５３１ｂは、ピン５３２を回動軸として、それぞれの先端部が互いに離れるように、すなわち挟持面５３６ａ、５３６ｂが互いに離れるように移動する。従って、牽引ワイヤ３１４が牽引されると、スライダ５２６は、牽引ワイヤ３１４が引っ張られた量だけ、図３７の矢印Ｄに示す方向に移動する。その結果、２つの可動挟持片５３１ａ、５３１ｂは、開閉ボタン３０５の開操作によって、開くことができる。
【０１７７】
開操作がされなくなると、バネ３３３の伸長力によって、バネ３３３は、スライダ５２６を先端方向へ押圧する。スライダ５２６が先端側に押圧されると、ピン５３５ａ、５３５ｂは、それぞれ長孔５３４ａ、５３４ｂ内を先端方向に移動していく。ピン５３５ａ、５３５ｂが、それぞれ長孔５３４ａ、５３４ｂの先端側の内側面を押圧するので、２つの可動挟持片５３１ａ、５３１ｂは、ピン５３２を回動軸として、それぞれの先端部が閉じるように、すなわち挟持面５３６ａ、５３６ｂが密着するように移動する。その結果、挟持部５０８において、２つの可動挟持片５３１ａ、５３１ｂの挟持面５３６ａ、５３６ｂの間に位置する針が挟持される。先端部が閉じたとき、２つの可動挟持片５３１ａ、５３１ｂの挟持面５３６ａ、５３６ｂは、回動筒部材５２５とスライダ５２６の軸に平行となる。
【０１７８】
以上のように、挟持部５０８の開閉時に、２つの可動挟持片５３１ａ、５３１ｂの挟持面５３６ａ、５３６ｂは、それぞれ回動筒部材５２５の軸に対して略直交する方向に移動することによって、針の挟持が行われる。
【０１７９】
次に回動動作について説明する。  
針が挟持された状態において、あるいは針が挟持されていない状態において、回動ダイヤル３０７が回動されると、軸部材である回動力伝達パイプ３１３が軸を回動中心として回動するために、回動力伝達パイプ３１３に固定された回動力伝達コイル３１７が回動し、回動力伝達コイル３１７に固定された回動筒部材５２５も軸周りに回動する。回動筒部材５２５の切断面５２５ｆとスライダ５２６の切断面５２６ｅとが、周方向において当接するので、回動筒部材５２５の軸周りの回動力は、スライダ５２６を軸周りに回動させる。よって、回動ダイヤル３０７が回動された量に応じた回動量が、処置部５０４へ伝達される。その結果、挟持部５０８を構成する２つの可動挟持片５３１ａ、５３１ｂは、回動筒部材５２５の回動に連動して、回動筒部材５２５と共に回動する。
【０１８０】
また、このとき、牽引ワイヤ３１４は、スライダ５２６の基端側底部５２６ｂの孔の内側において、牽引ワイヤ３１４の軸周りに摺動しながら回動可能となっているため、スライダ５２６が軸回りに回動しても、牽引ワイヤ３１４は、当該スライダ５２６と共に回動することはない。
【０１８１】
角度可変動作は、第１の実施の形態と同様であるので、説明は省略する。  
上述したように、本実施の形態に係わる外科用処置具としてのニードルドライバ５０１は、処置部５０４の挟持部５０８が２つの可動挟持片５３１ａ、５３１ｂの挟持面５３６ａ、５３６ｂの間に針を挟持する構造となっている。
【０１８２】
よって、本実施の形態に係わるニードルドライバ５０１は、２つの可動挟持片５３１ａ、５３１ｂの挟持面５３６ａ、５３６ｂは、それぞれ回動筒部材５２５の軸に対して略直交する方向に移動して、針を挟持するために、２つの可動挟持片５３１ａ、５３１ｂ先端の回動筒部材５２５軸方向への移動量は小さく、処置部５０８を位置決めするための動作が容易かつ確実に行うことができるので、針挟持の操作性がよい。また、把持力はバネ３３３によって一定となるので、バネ３３３のバネの強さを適切に設定することによって、針を把持する力を調節する必要がなく、挟持の操作性が良い。
【０１８３】
従って、上述した本実施の形態に係わる各ニードルドライバによれば、内視鏡下での組織吻合等において、操作性が良い外科手術処置具を実現することができる。操作性も良いので内視鏡下での組織吻合が容易となり、手術の質向上、手術時間の短縮が図れ、さらに、細径化が図れるので低侵襲となり、患者の早期退院、社会復帰が早まる。
【０１８４】
本発明は、上述した実施形態に限定されるものではなく、本発明の要旨を変えない範囲において、種々の変更、改変等が可能である。
【図面の簡単な説明】
【０１８５】
【図１】本発明の第１の実施の形態に係るニードルドライバの正面斜め一側方からみた外観斜視図である。
【図２】同、ニードルドライバの正面図である。
【図３】同、ニードルドライバを一側方（左側方）からみた左側面図である。
【図４】同、ニードルドライバを他側方（右側方）からみた右側面図である。
【図５】同、図１のニードルドライバが把持された状態を説明するための図である。
【図６】同、ニードルドライバの処置部を含む先端部分の正面図である。
【図７】同、処置部の挟持部が開いた状態の先端部分の正面図である。
【図８】同、ニードルドライバの軸方向に沿った、処置部を含む先端部分の断面図である。
【図９】同、ニードルドライバの軸方向に沿った、処置部の挟持部が開いた状態の先端部分の断面図である。
【図１０】同、先端部の内部構造を説明するための斜視図である。
【図１１】同、図９のＡ−Ａ線に沿った断面図である。
【図１２】同、先端ハウジング部材を省略した、先端部の内部構造を説明するための斜視図である。
【図１３】同、処置部が挿入部の軸に対して９０度湾曲した状態を示す先端部分の正面図である。
【図１４】同、処置部が挿入部の軸に対して９０度湾曲した状態を示す先端部分の断面図である。
【図１５】同、回動部ベース部材を省略した、先端部の内部構造を説明するための斜視図である。
【図１６】同、ニードルドライバの操作部を正面斜め一側方からみた外観斜視図である。
【図１７】同、ニードルドライバの軸方向に沿った、操作部の断面図である。
【図１８】同、図１７の円Ａにて囲んだ部分を拡大した操作部の断面図である。
【図１９】同、操作部の外装部材を省略した、回動ダイヤルの周辺に設けられる操作部の内部構成を示す斜視図である。
【図２０】同、操作部内の各構成部材を下面斜め一側方からみた斜視図である。
【図２１】同、操作部の外装部材の一部分を図示し、操作部内の各構成部材を下面斜め一側方からみた斜視図である。
【図２２】同、操作部の外装部材の一部分を図示し、操作部内の各構成部材を基端側の斜め一側方からみた斜視図である。
【図２３】同、ニードルドライバの軸に対して直交する方向に沿って、操作部の中途部分を切断した断面図である。
【図２４】同、操作部を側面斜め一側方からみた斜視図である。
【図２５】同、ニードルドライバを先端側から見た正面図である。
【図２６】変形例である、プルリンクとガイド凸部とが当接している状態を牽引ワイヤの基端側から見た図である。
【図２７】本実施の形態に係るニードルドライバの角度可変レバーの動作説明のための操作部３０３の部分断面図である。
【図２８】同、角度可変レバーの動作説明のための操作部の部分断面図である。
【図２９】同、角度可変レバーの動作説明のための操作部の部分断面図である。
【図３０】本発明の第１の実施の形態に係るニードルドライバのブレーキシューの動作説明のための操作部の部分断面図である。
【図３１】同、ブレーキシューの動作説明のための操作部の部分断面図である。
【図３２】本発明の第２の本実施の形態に係わる処置部の斜視図である。
【図３３】本発明の第２の実施の形態に係わる処置部の正面図である。
【図３４】本発明の第２の実施の形態に係わる処置部の断面図である。
【図３５】本発明の第２の実施の形態に係わる処置部の内部構造を説明するための斜視図である。
【図３６】本発明の第２の実施の形態に係わる、一部の部材を省略した、処置部の内部構造を説明するための斜視図である。
【図３７】本発明の第３の実施の形態に係る先端部の構成を示す模式的断面図である。
【図３８】本発明の第３の実施の形態に係る回動筒部材の斜視図である。
【図３９】本発明の第３の実施の形態に係るスライダの斜視図である。
【符号の説明】
【０１８６】
３０１、４０１，５０１・・・ニードルドライバ、３０２・・・挿入部、３０３・・・操作部、３０４・・・処置部、３０５・・・開閉ボタン、３０６・・・角度可変レバー、３０７・・・回動ダイヤル、３０８・・・挟持部、３２６ｃ，３３１ａ，４２６ｃ，４３１ａ・・・フランジ部  
【図１】
2006218280.tif 000003
【図２】
2006218280.tif 000004
【図３】
2006218280.tif 000005
【図４】
2006218280.tif 000006
【図５】
2006218280.tif 000007
【図６】
2006218280.tif 000008
【図７】
2006218280.tif 000009
【図８】
2006218280.tif 000010
【図９】
2006218280.tif 000011
【図１０】
2006218280.tif 000012
【図１１】
2006218280.tif 000013
【図１２】
2006218280.tif 000014
【図１３】
2006218280.tif 000015
【図１４】
2006218280.tif 000016
【図１５】
2006218280.tif 000017
【図１６】
2006218280.tif 000018
【図１７】
2006218280.tif 000019
【図１８】
2006218280.tif 000020
【図１９】
2006218280.tif 000021
【図２０】
2006218280.tif 000022
【図２１】
2006218280.tif 000023
【図２２】
2006218280.tif 000024
【図２３】
2006218280.tif 000025
【図２４】
2006218280.tif 000026
【図２５】
2006218280.tif 000027
【図２６】
2006218280.tif 000028
【図２７】
2006218280.tif 000029
【図２８】
2006218280.tif 000030
【図２９】
2006218280.tif 000031
【図３０】
2006218280.tif 000032
【図３１】
2006218280.tif 000033
【図３２】
2006218280.tif 000034
【図３３】
2006218280.tif 000035
【図３４】
2006218280.tif 000036
【図３５】
2006218280.tif 000037
【図３６】
2006218280.tif 000038
【図３７】
2006218280.tif 000039
【図３８】
2006218280.tif 000040
【図３９】
2006218280.tif 000041